(57)【要約】【課題】好適な本人認証装置システムおよび方法を提供すること。【解決手段】標的認証デバイスは、デバイスのユーザと関連付けられる電気信号を検出するように電極を含む。電気信号は、本デバイスのための認証コードを表す。認証受信機モジュールが、電極に連結される。本モジュールは、電極から電気信号を受信し、電気信号に基づいてユーザの身元を認証するように、電気信号が所定の基準に合致するかどうかを判定する。認証モジュールも開示される。認証モジュールは、ユーザと関連付けられる電気信号を標的認証デバイスのユーザに連結するように１つの電極を含み、電気信号は、本デバイスのための認証コードを表す。認証伝送モジュールが、電極に連結される。認証伝送モジュールは、電極から電気信号を伝送する。標的認証デバイスのユーザの身元を認証する方法も開示される。【選択図】図１
2020181609.tif 000002
【特許請求の範囲】
【請求項１】
本明細書に記載の発明。
【発明の詳細な説明】
【技術分野】
【０００１】
（関連出願への相互参照）
本願は、２０１１年１２月２３日に出願された出願第１３／３３６，９５６号の一部継続出願であり、この出願番号の出願は、２０１０年２月１２日に出願された出願第１２／６７３，３２６号の分割出願であり、この出願番号の出願は、２００９年１２月１５日に出願されたＰＣＴ／ＵＳ０９／６８１２８号の米国国内段階の利益を主張し、このＰＣＴ出願は、２００８年１２月１５日に出願された仮出願第６１／１２２，７２３号の利益を主張し、この仮出願は、２００９年３月１３日に出願された仮出願第６１／１６０，２８９号の利益を主張し、この仮出願は、２００９年９月８日に出願された仮出願第６１／２４０，５７１号の利益を主張し、この仮出願は、２００９年１０月１３日に出願された仮出願第６１／２５１，０８８号の利益を主張し、これらの出願の開示は、本明細書中に参考として援用される。
【０００２】
本願は、２０１２年７月１７日に出願されたＰＣＴ／ＵＳ２０１２／０４７０７６の一部継続出願であり、このＰＣＴ出願は、２０１１年７月２１日に出願された仮出願第６１／５１０，４３４号の利益を主張し、これら出願の開示は、本明細書中に参考として援用される。
【０００３】
本願は、２０１３年２月１９日に出願された出願番号第１３／６４０，６９９号の一部継続出願であり、この出願番号の出願は、２０１１年４月１１日に出願された「Ａｐｐａｒａｔｕｓ，Ｓｙｓｔｅｍ  ａｎｄ  Ｍｅｔｈｏｄ  ｆｏｒ  Ｄｅｔｅｃｔｉｏｎ  ａｎｄ  Ｄｅｌｉｖｅｒｙ  ｏｆ  ａ  Ｍｅｄｉｃａｌ  Ｄｏｓｅ」と題するＰＣＴ／ＵＳ２０１１／０３１９８６の米国国内段階であり、このＰＣＴ出願は、２０１０年４月１１日に出願された「Ｓｙｓｔｅｍ  ａｎｄ  Ｍｅｔｈｏｄ  ｆｏｒ  Ｄｅｌｉｖｅｒｙ  ｏｆ  ａｎ  Ｉｎｈａｌａｂｌｅ  Ｄｏｓｅ」と題する米国仮特許出願第６１／３２２，８９３号；２０１０年６月２２日に出願され、そして「Ｓｙｓｔｅｍ  ａｎｄ  Ｍｅｔｈｏｄ  ｆｏｒ  Ｄｅｔｅｃｔｉｏｎ  ｏｆ  Ｄｅｌｉｖｅｒｙ  ｏｆ  ａｎ  Ｉｎｈａｌａｂｌｅ  Ｄｏｓｅ」と題する米国仮特許出願第６１／３５７，５０６号；および２０１０年８月１３日に出願され、そして「Ｓｙｓｔｅｍ  ａｎｄ  Ｍｅｔｈｏｄ  ｆｏｒ  Ｄｅｌｉｖｅｒｙ  ａｎｄ  Ｄｅｔｅｃｔｉｏｎ  ｏｆ  ａｎ  Ｉｎｈａｌａｂｌｅ  Ｄｏｓｅ」と題する米国仮特許出願第６１／３７３，８０３号；および２０１０年８月２５日に出願され、そして「Ｓｙｓｔｅｍ  ａｎｄ  Ｍｅｔｈｏｄ  ｆｏｒ  Ｐａｔｉｅｎｔ  Ａｃｃｅｓｓ  Ｐｏｒｔ  Ｒｅｐｏｒｔｉｎｇ」と題する米国仮特許出願第６１／３７７，０７２号に基づく優先権を主張している。
【０００４】
（序論）
本開示は、概して、標的認証デバイスによる少なくとも１つの形態の識別の妥当性を検証することによって、個人の身元を確認するプロセスである、認証および／または価値トークンを渡すことに関する。より具体的には、本開示は、標的認証デバイスのユーザを認証する個人認証技法を採用することに関する。
【背景技術】
【０００５】
従来の認証モードは、概して、種々の組み合わせで配列された文字（ａ、ｂ、ｃ、…）、数字（１、２、３、…）、および／または記号（！、＠、＃、…）から成る、文字列から成るパスワードの使用を含む。
【０００６】
携帯電話等の標的認証デバイスにアクセスするための最低レベルのセキュリティは、概して、個人識別コード（ＰＩＮ）、ｉＰｈｏｎｅブランドの携帯電話の場合はパスコードと称される一意の４桁の文字を入力するように携帯電話の所有者／ユーザに要求することによって達成される。ＰＩＮの再入力を要求する前に携帯電話がアクセスを可能にする時間量は、所有者の所望のレベルのセキュリティに応じて構成可能である。しかしながら、ＰＩＮ／パスコードを入力することは、所有者にとって頻繁な負担である。所有者は、毎日、１日中１時間に数回ＰＩＮ／パスコードを入力するように要求され得る。ユーザにとって手間がかかることに加えて、そのような最低レベルのセキュリティは、コンピュータシステムの脆弱性を活用することに熟達した者によって容易に不正侵入される。
【０００７】
しかしながら、より具体的には、ある人が認証され得る方法は、認証の要因として知られているものに基づく３つのカテゴリ、すなわち、ユーザが知っているもの、ユーザが有するもの、およびユーザであるものに入る。各認証要因は、アクセスを許可されること、取引要求を承認すること、文書または他の作業生産物に署名すること、他者に権限を供与すること、および一連の権限を確立することに先立って、個人の身元を認証または検証するために使用される、一連の要素を網羅する。肯定的な認証のために、少なくとも２つ、好ましくは３つ全ての要因が検証されるべきである。３つの要因（クラス）および各要因の要素のうちのいくつかは、所有権要因、すなわち、ユーザが有するもの（例えば、リストバンド、ＩＤカード、セキュリティトークン、ソフトウェアトークン、電話、または携帯電話）、知識要因、すなわち、ユーザが知っているもの（例えば、パスワード、パスフレーズ、または個人識別番号（ＰＩＮ）、チャレンジレスポンス（ユーザが質問に答えなければならない）、パターン）、固有要因、すなわち、ユーザであるもの、またはユーザが行うもの（例えば、指紋、網膜パターン、ＤＮＡ配列（十分であるものの多種多様の定義がある）、シグネチャ、顔、声、一意の生体電気信号、または他のバイオメトリック識別子）である。
【０００８】
２要因認証は、２つの要因を表す要素が認証のために必要とされるときに、２要因認証が適用されるものであり、例えば、バンクカード（ユーザが有するもの）およびＰＩＮ（ユーザが知っているもの）である。ビジネスネットワークは、パスワード（知識要因）およびセキュリティトークンからの疑似乱数（所有権要因）を提供するようにユーザに要求し得る。非常に高いセキュリティシステムへのアクセスは、身長、体重、顔、および指紋チェック（いくつかの固有要因要素）、加えて、ＰＩＮおよびデイコード（知識要因要素）のマントラップスクリーニングを必要とし得るが、これは依然として２要因認証である。
【０００９】
従来の認証モードは、セキュリティのためのますます手のかかる不十分な手段になっている。したがって、ロバストであり、負担が少ない、新しい認証アプローチが必要とされる。
【発明の概要】
【課題を解決するための手段】
【００１０】
（要旨）
一側面では、標的認証デバイスが提供される。標的認証デバイスは、標的認証デバイスのユーザと関連付けられる電気信号を検出するように構成される、少なくとも１つの電極を備える。電気信号は、標的認証デバイスのための認証コードを表す。認証受信機モジュールが、少なくとも１つの電極に連結される。認証受信機モジュールは、少なくとも１つの電極から電気信号を受信するように、および電気信号が所定の基準に合致するかどうかを判定し、電気信号に基づいてユーザの身元を認証するように構成される。
【００１１】
別の側面では、認証モジュールが提供される。認証モジュールは、ユーザと関連付けられる電気信号を標的認証デバイスのユーザに連結するように構成される、１つの電極を含み、電気信号は、標的認証デバイスのための認証コードを表す。認証伝送モジュールが、少なくとも１つの電極に連結される。認証伝送モジュールは、少なくとも１つの電極から電気信号を伝送するように構成される。
【００１２】
さらに別の側面では、標的認証デバイスのユーザの身元を認証する方法が提供される。
本方法によると、少なくとも１つの電極が、標的認証デバイスのユーザと関連付けられる電気信号であって、標的認証デバイスのための認証コードを表す電気信号を検出する。少なくとも１つの電極に連結される認証受信機モジュールが、少なくとも１つの電極から電気信号を受信する。プロセッサが、電気信号に基づいてユーザの身元を認証するように、電気信号が所定の基準に合致するかどうかを判定する。
本明細書は、例えば、以下の項目も提供する。
（項目１）
装置であって：
標的認証デバイスのユーザと関連付けられる電気信号であって、前記標的認証デバイスのための認証コードを表す電気信号を検出するように構成される、少なくとも１つの電極と、
前記少なくとも１つの電極に連結される認証受信機モジュールであって、前記少なくとも１つの電極から前記電気信号を受信するように、および前記電気信号が所定の基準に合致するかどうかを判定し、前記電気信号に基づいて前記ユーザの身元を認証するように構成される、認証受信機モジュールと、
を備える、装置。
（項目２）
前記標的認証デバイスのための前記認証コードを表す経身体伝導信号を受信するための、経身体伝導通信モジュールをさらに備える、項目１に記載の装置。
（項目３）
前記標的認証デバイスのための前記認証コードを表す少なくとも１つの生理学的信号を受信するための、生理学的感知モジュールをさらに備える、項目１に記載の装置。
（項目４）
バイオメトリックシグネチャが、前記少なくとも１つの生理学的信号から導出され、前記バイオメトリックシグネチャは、ユーザ関連シグネチャと比較され、前記ユーザ関連シグネチャは、基準バイオメトリックシグネチャを生成するように、経時的にメモリに記憶されたバイオメトリックデータから導出され、前記認証モジュールデバイスは、前記ユーザの前記身元を認証するように、前記バイオメトリックシグネチャを前記基準バイオメトリックシグネチャと比較する、項目３に記載の装置。
（項目５）
前記ユーザ関連シグネチャは、前記装置の外部のソースから導出される、項目４に記載の装置。
（項目６）
前記検出された電気信号を復号するための、デコーダをさらに備える、項目１に記載の装置。
（項目７）
前記復号した検出された電気信号を確立された基準と比較するための、比較モジュールをさらに備える、項目６に記載の装置。
（項目８）
前記検出された電気信号を秘密で符号化し、前記符号化された信号が前記符号化および前記秘密の数学的性質に依存する予測結果と比較される、前記受信機モジュールに前記符号化された信号を再伝送する、モジュールをさらに備える、項目１に記載の装置。
（項目９）
ユーザと関連付けられる電気信号であって、標的認証デバイスのための認証コードを表す電気信号を、前記標的認証デバイスに連結するように構成される、少なくとも１つの電極と、
前記少なくとも１つの電極に連結される認証伝送モジュールであって、前記少なくとも１つの電極から前記電気信号を伝送するように構成される、認証伝送モジュールと、
を備える、モジュール。
（項目１０）
前記検出された電気信号を符号化するための、エンコーダをさらに備える、項目９に記載のモジュール。
（項目１１）
前記標的認証デバイスのための前記認証コードを表す経身体伝導信号を伝送するための、経身体伝導通信モジュールをさらに備える、項目９に記載のモジュール。
（項目１２）
前記経身体伝導通信モジュールは、事象マーカーシステムを備える、項目１１に記載のモジュール。
（項目１３）
前記事象マーカーシステムは、摂取可能である、項目１２に記載のモジュール。
（項目１４）
前記経身体伝導通信モジュールは、モバイルデバイスのための封入配列として構成される、項目１１に記載のモジュール。
（項目１５）
前記標的認証デバイスのための前記認証コードを表す少なくとも１つの生理学的信号を伝送するための、身体関連デバイスをさらに備える、項目９に記載のモジュール。
（項目１６）
前記身体関連デバイスは、前記ユーザの皮膚表面に取り外し可能に取付可能である、項目１５に記載のモジュール。
（項目１７）
前記身体関連デバイスは、前記ユーザの皮膚の下方に埋込可能である、項目１５に記載のモジュール。
（項目１８）
前記身体関連デバイスは、チャレンジレスポンス認証を認証するように構成される、項目１５に記載のモジュール。
（項目１９）
前記身体関連デバイスは、身体から除去されたときに破壊されるように構成される、項目１５に記載のモジュール。
（項目２０）
標的認証デバイスのユーザと関連付けられる電気信号であって、前記標的認証デバイスのための認証コードを表す電気信号を、少なくとも１つの電極によって検出するステップと、
前記少なくとも１つの電極に連結される認証受信機モジュールによって、前記少なくとも１つの電極から前記電気信号を受信するステップと、
前記電気信号に基づいて前記ユーザの身元を認証するように、プロセッサによって前記電気信号が所定の基準に合致するかどうかを判定するステップと、
を含む、方法。
（項目２１）
経身体伝導通信モジュールによって、前記標的認証デバイスのための前記認証コードを表す経身体伝導信号を受信するステップを含む、項目２０に記載の方法。
（項目２２）
生理学的感知モジュールによって、前記標的認証デバイスのための前記認証コードを表す少なくとも１つの生理学的信号を受信するステップを含む、項目２０に記載の方法。
（項目２３）
前記少なくとも１つの生理学的信号からバイオメトリックシグネチャを導出するステップと、
経時的にメモリに前記バイオメトリックシグネチャを記憶するステップと、
前記記憶されたバイオメトリックシグネチャに基づいて、基準バイオメトリックシグネチャを生成するステップと、
前記認証モジュールデバイスによって、前記バイオメトリックシグネチャを前記基準バイオメトリックシグネチャと比較するステップと、
前記バイオメトリックシグネチャが前記基準バイオメトリックシグネチャに合致するときに前記ユーザの前記身元を認証するステップと、
を含む、項目２２に記載の方法。
（項目２４）
デコーダによって、前記検出された電気信号を復号するステップを含む、項目２０に記載の方法。
（項目２５）
比較モジュールによって、前記復号した検出された電気信号を確立された基準と比較するステップを含む、項目２４に記載の方法。
【図面の簡単な説明】
【００１３】
（図面）
【図１】図１は、対象の身体から個人電気信号を検出するための電極を備える、モバイルデバイスを使用する対象を図示する。
【図２】図２は、対象がモバイルデバイスへのアクセスを獲得することを可能にするように、対象の身元を認証するために採用することができる電気信号を検出するための電極を備える、モバイルデバイスの一側面を図示する。
【図３】図３は、対象の身元を認証するための電気信号を検出するように構成される、モバイルデバイスの一側面のシステム図である。
【図４】個人の身元を確認するように相互コンダクタンス信号を検出および／または生成するための認証サブシステムの一側面のブロック機能図である。
【図５】図５は、個人の身元を確認するための一意の相互コンダクタンス信号を生成するように構成される、摂取可能な事象マーカーシステムの一側面を図示する。
【図６】図６は、標的認証デバイスと、身体関連デバイスを備える認証モジュールとを備える、認証システムの一側面を図示する。
【図７】図７は、標的認証デバイスと、対象の皮膚の下方に位置する埋込型身体関連デバイスを備える認証伝送モジュールとを備える、認証システムの一側面を図示する。
【図８】図８は、標的認証デバイスと、事象マーカーシステムを備える認証伝送モジュールとを備える、認証システムの一側面を図示する。
【図９】図９は、反対端上に位置付けられた異種金属を伴う事象インジケータシステムの一側面のブロック図表現である。
【図１０】図１０は、同一の端部上に位置付けられ、非伝導金属によって分離された異種金属を伴う事象インジケータシステムの別の側面のブロック図表現である。
【図１１】図１１は、図９の事象インジケータシステムが伝導液体と接触し、アクティブ状態であるときに伝導流体を通るイオン移送または電流経路を示す。
【図１１Ａ】図１１Ａは、図１１の異種材料の表面の分解図を示す。
【図１１Ｂ】図１１Ｂは、ｐＨセンサユニットを伴う図１１の事象インジケータシステムを示す。
【図１２】図１２は、図９および４＊＊のシステムで使用される制御デバイスの一側面のブロック図表現である。
【図１３】図１３は、一側面による、受信機の中に存在し得る、コヒーレント復調を行う復調回路の機能ブロック図である。
【図１４】図１４は、一側面による、受信機内のビーコンモジュールの機能ブロック図を図示する。
【図１５】図１５は、一側面による、受信機の中に存在し得る、異なる機能モジュールのブロック図である。
【図１６】図１６は、一側面による、受信機のブロック図である。
【図１７】図１７は、一側面による、受信機内の高周波数信号連鎖のブロック図を提供する。
【図１８Ａ】図１８Ａは、一側面による、信号受信機および摂取可能な事象マーカーを含むシステムがどのようにして採用され得るかという略図を提供する。
【図１８Ｂ】図１８Ｂは、受信機から制御情報を受信し、投与量送達を制御する、医薬品送達システムを提供する。
【図１９】図１９は、摂取可能な事象マーカーによって生成される電気信号を検出するためのそれと統合された検出回路を備える、モバイルデバイス封入配列を伴う噛合構成で受容される、モバイルデバイスの一側面を図示する。
【図２０】図２０は、モバイルデバイス、および非噛合構成で図１９に示されるモバイルデバイスを受容するための筐体を図示する。
【図２１】図２１は、筐体が、それと統合された摂取可能な事象マーカーによって生成される電気信号を検出するための検出回路と、検出回路をモバイルデバイスの機能モジュールに電気的に連結するためのコネクタとを備える、モバイルデバイスを受容するための筐体の一側面を図示する。
【発明を実施するための形態】
【００１４】
（説明）
認証の種々の側面を詳細に説明する前に、本明細書で開示される種々の側面は、それらの用途または使用において、付随の図面および説明に図示される部品の構造および配列の詳細に限定されないことに留意されたい。むしろ、認証の任意の開示された側面は、認証の他の側面、それらの変形例および修正に位置付けられ、または組み込まれてもよく、種々の方法で実践または実施されてもよい。故に、本明細書で開示される認証装置、システム、および方法の側面は、性質上、例証的であって、その範囲または用途を限定するように意図されていない。さらに、別様に示されない限り、本明細書で採用される用語および表現は、読者の便宜上、側面を説明する目的のために選定されたものであって、その範囲を限定するものではない。加えて、開示された側面、側面の表現、および／またはそれらの実施例のうちの任意の１つまたはそれを上回るものは、限定ではないが、他の開示された側面、側面の表現、および／またはそれらの実施例のうちの任意の１つまたはそれを上回るものと組み合わることができることを理解されたい。
【００１５】
以下の説明では、同様の参照文字は、いくつかの図全体を通して、類似または対応する部品を指定する。また、以下の説明では、正面、背面、内側、外側、上部、底部、および同等物等の用語は、便宜上の用語であって、限定語として解釈されるべきではないことを理解されたい。本明細書で使用される専門用語は、本明細書に説明されるデバイスまたはその一部が、他の配向において取り付けられる、または利用され得る限り、限定を意味するものではない。種々の側面が、図面を参照してより詳細に説明される。
【００１６】
本開示は、概して、ユーザと標的認証デバイスとの間の物理的接続を提供することによる、認証の種々の側面を対象とする。標的認証デバイスの一実施例は、コンピュータシステムである。本明細書で使用されるように、コンピュータシステムという用語は、限定ではないが、コンピュータネットワーク、デスクトップコンピュータ、ラップトップコンピュータ、ノートブックコンピュータ、タブレットコンピュータ、携帯電話、携帯情報端末、アプライアンス、測位システム、メディアデバイス、現金自動預払機（ＡＴＭ）、キオスク、および同等物を含む、広いカテゴリのデバイスを包含することを目的としている。加えて、認証は、公共交通手段（バス、電車、地下鉄、飛行機、船、レンタカー）、ビルの入口、スタジアム、回転ドア、および同等物に進入するときに必要とされる。認証を必要とし得る付加的なコンピュータシステムはまた、任意の形態で薬剤を分注する医療システムを含み得る。
【００１７】
本開示の全体を通して使用されるような「薬剤」または「投与形態」という用語は、例えば、錠剤、カプセル、ジェルカプセル、プラセボ、オーバーカプセル化担体または媒体、ハーブ、店頭販売されている（ＯＴＣ）物質、栄養補助食品、処方箋薬、摂取可能な事象マーカー（ＩＥＭ）、および同等物等の種々の形態の摂取可能、吸入可能、注射可能、吸収可能、または別様に消費可能な薬剤および／またはそれらのための担体を含むことが理解されるであろう。
【００１８】
認証技法の種々の側面を説明することに先立って、本開示は、最初に、対象に連結される感知サブシステム、事象インジケータシステム、および／または少なくとも１つの電極を介した身体関連デバイスを採用するシステムの一側面の簡潔な説明について、図１を参照する。対象は、標的認証デバイスへのアクセスを必要としている個人または物であり得る。身体関連デバイスおよび事象インジケータシステムは、検出サブシステムによって検出可能である、一意の電流信号を生成するように構成される。加えて、検出サブシステムは、生体と関連付けられる種々の生理学的パラメータを検出するように構成されてもよい。
【００１９】
図１は、対象の身体１００を通して伝導される個人電気信号を検出するための電極１０４ａ、１０４ｂを備える、モバイルデバイス１０２を使用する対象１００を図示する。図示した実施例では、モバイルデバイス１０２は、標的認証デバイスである。モバイルデバイス１０２は、対象１００から電極１０４ａ、１０４ｂに連結された電気信号を検出するために、筐体に組み込まれる電極１０４ａ、１０４ｂを備える。個人電気信号という用語は、認証の目的で対象１００の身元を確認するために使用することができるように、信号が対象１００と密接に関連付けられることを示すために使用される。個人電気信号は、限定ではないが、対象と関連付けられる生理学的信号、摂取可能な事象マーカーシステム１０６によって生成される経身体伝導信号、身体関連デバイス１１２、例えば、対象の身体１００上に適用される接着パッチ、対象と物理的に接触している任意の物体、例えば、腕時計、ブレスレット、ネックレス、指輪等によって生成される経身体伝導信号、および／または対象の身体１００内に位置する埋込身体関連デバイス１１３によって生成される経身体伝導信号等を含む。生理学的信号は、限定ではないが、いくつかある生理学的および物理的パラメータの中でも、皮膚インピーダンス、心電図信号、伝導的に伝送された電流信号、着用者の位置、温度、心拍数、発汗率、湿度、高度／圧力、全地球測位システム（ＧＰＳ）、近接性、細菌レベル、血糖値、化学マーカー、血中酸素濃度を含む。経身体伝導信号は、限定ではないが、身体が伝導媒体の役割を果たす、対象の身体を通して伝送される電流を含む。一側面では、経身体伝導信号は、摂取可能な事象マーカーシステム１０６によって生成することができ、その一実施例が図５に関連して説明される。他の側面では、経身体伝導信号は、身体関連デバイス１１２を介して対象１００の皮膚の表面と電気的に接触して配置される電気回路によって生成することができる。他の側面では、経身体伝導信号は、対象の身体１００内に埋め込まれた電気回路によって生成することができる。摂取可能な事象マーカーシステム１０６から電気信号を検出するために構成されるモバイルデバイス１０２の付加的な側面は、とりわけ、その全体で参照することにより本明細書に組み込まれる、同一出願人による国際ＰＣＴ出願第ＰＣＴ／ＵＳ／２０１２／０４７０７６号、国際公開番号第ＷＯ  ２０１３／０１２８６９号で説明される。
【００２０】
信号源にかかわらず、認証のために好適である一意の電気信号は、電気信号を感知および供給するために好適である電極１０４ａ、１０４ｂのうちの少なくとも１つを通して、標的認証デバイス、例えば、モバイルデバイス１０２に連結される。動作中に、対象１００は、モバイルデバイス１０２を手で持つか、または別のタイプのコンピュータシステム上の電極に別様に接触し、電極１０４ａ、１０４ｂのうちの少なくとも１つに物理的に接触する。電気信号は、電極１０４ａ、１０４ｂのうちの少なくとも１つを通して、対象１００から認証サブシステムに連結される。認証サブシステムは、モバイルデバイス１０２と統合することができ、またはその上に追加されてもよい。
【００２１】
摂取可能な事象マーカーシステム１０６が信号源であるとき、一意の電流信号は、摂取可能な事象マーカーシステム１０６が対象１００の胃１１０の中の消化液１０８に接触するときに生成される。一意の電流シグネチャは、対象の身体１００を通して伝導され、電極１０４ａ、１０４ｂのうちの少なくとも１つによって検出され、信号を復号し、対象１００を認証するように復号された信号を処理サブシステムに提供する認証サブシステムに連結される。
【００２２】
身体関連デバイス１１２が信号源であるとき、電流信号が身体関連デバイス１１２内の回路によって生成される。身体関連デバイス１１２は、別の一式の電極によって対象の身体１００に電気的に連結される。電気信号は、身体によって伝導され、モバイルデバイス１０２上の入力電極１０４ａ、１０４ｂのうちの少なくとも１つによって検出される。個人認証技法のこれらおよび他の側面が、本明細書の以下で議論される。しかしながら、そのようなシステムを説明することに先立って、本開示はここで、電気信号を検出するための測定サブシステムを参照する。
【００２３】
図２は、対象１００の身元を認証するために好適な個人電気信号を検出するための電極１０４ａ、１０４ｂを備える、モバイルデバイス１０２の一側面を図示する。モバイルデバイス１０２はまた、筐体２０２と、ディスプレイ２０４と、デジタル画像を捕捉するための開口２０６と、アンテナ２０８とを備える。電極１０４ａ、１０４ｂは、筐体２０２の背面、またはモバイルデバイス１０２の任意の便宜的な場所に位置する。一側面では、例えば、電極１０４ａ、１０４ｂは、図１９−２１に関連して本明細書の以下で説明されるように、皮膚またはモバイルデバイス１０２用のデザインカバー上に位置するか、またはそれに埋め込まれてもよい。
【００２４】
図３は、対象１００の身元を認証するための電気信号を検出するために構成される、モバイルデバイス１０２の一側面の略図である。モバイルデバイス１０２は、複数の要素を備えてもよい。図３は、一例としてあるトポロジで限定数の要素を示すが、所与の実装のために所望に応じて、任意の好適なトポロジで付加的またはより少ない要素がモバイルデバイス１０２で使用され得ることを理解することができる。さらに、本明細書で説明されるような任意の要素は、ノード実装を参照して以前に説明されたように、ハードウェア、ソフトウェア、または両方の組み合わせを使用して実装されてもよい。しかしながら、モバイルデバイス１０２の側面は、これに関連して限定されない。
【００２５】
種々の側面では、筐体２０２、ディスプレイ２０４、デジタル画像を捕捉するための開口２０６、およびアンテナ２０８に加えて、モバイルデバイス１０２は、バスを介して処理サブシステム３０４に接続される無線サブシステム３０２を備える。無線サブシステム３０２は、モバイルデバイス１０２用の無線共有媒体を使用して、音声およびデータ通信動作を行ってもよい。処理サブシステム３０４は、モバイルデバイス１０２用のソフトウェアを実行してもよい。バスは、ＵＳＢまたはマイクロＵＳＢバス、および適切なインターフェース、ならびにその他を備えてもよい。
【００２６】
種々の側面では、認証および／または保護サブシステム３０６は、電極１０４ａ、１０４ｂに連結される。電極１０４ａ、１０４ｂは、対象１００（図１）と物理的に接触して、認証サブシステム３０６に、および認証サブシステム３０６から一意の電気信号を電気的に連結するように構成される。対象１００が電極１０４ａ、１０４ｂのうちの少なくとも１つに物理的に接触するとき、認証サブシステム３０６は、対象１００の身元を認証するために一意の電流信号を受容または伝送し、いったん認証すると、モバイルデバイス１０２へのアクセスを提供することができる。また、認証サブシステム３０６が対象１００と関連付けられる生理学的信号を検出するとき、認証サブシステム３０６は、経時的に対象１００と関連付けられる生理学的信号の平均を提供する、データベースを構築する。認証は、検出された生理学的信号がデータベースに記憶された移動平均生理学的信号に合致するときのみ起こる。
【００２７】
種々の側面では、検出サブシステム３０６は、処理サブシステム３０４に連結される。検出サブシステム３０６は、検出された電気信号を秘密の言葉または文字列に変換する。検出サブシステム３０６に連結される処理サブシステム３０４は、対象１００（図１）の身元を証明するユーザ認証のために、またはモバイルデバイス１０２へのアクセスを獲得するアクセス承認のために、文字列を使用する。対象１００が認証されたとき、処理サブシステム３０４は、無線サブシステム３０４、および例えば、撮像サブシステム３０８またはナビゲーションサブシステム３１０等のコンピュータデバイス１０２の他の機能モジュールを起動する。対象１００が認証されないとき、処理サブシステム３０４は、適正な電気信号が検出サブシステム３０６によって検出されるまで、モバイルデバイス１０２の機能モジュールへのアクセスを拒否する。
【００２８】
種々の側面では、ディスプレイ２０４は、モバイルデバイス１０２のために適切な情報を表示するための任意の好適な表示ユニットを備えてもよい。Ｉ／Ｏシステムは、情報をモバイルデバイス１０２に入力するための任意の好適なＩ／Ｏシステムを備えてもよい。Ｉ／Ｏシステムの実施例は、英数字キーボード、数字キーパッド、タッチパッド、容量性タッチスクリーンパネル、入力キー、ボタン、スイッチ、ロッカースイッチ、音声認識デバイス、およびソフトウェア等を含んでもよい。Ｉ／Ｏシステムは、例えば、マイクロホンと、スピーカとを備えてもよい。情報はまた、マイクロホンを介してモバイルデバイス１０２に入力されてもよい。そのような情報は、音声認識デバイスによってデジタル化されてもよい。
【００２９】
種々の側面では、無線サブシステム３２０は、モバイルデバイス１０２用の無線共有媒体を使用して、音声およびデータ通信を行ってもよい。処理サブシステム３０４は、モバイルデバイス１０２用のソフトウェアを実行してもよい。バスは、ユニバーサルシリアルバス（ＵＳＢ）、マイクロＵＳＢバス、データポート、および適切なインターフェース、ならびにその他を備えてもよい。一側面では、無線サブシステム３０２は、無線共有媒体の１つまたはそれを上回る割り当てられた周波数帯を経由して、音声情報および制御情報を伝達するように配列されてもよい。
【００３０】
種々の側面では、撮像サブシステム３０８は、開口２０６を通して捕捉される画像を処理する。カメラが、（例えば、有線または無線で）処理サブシステム３０４に連結されてもよく、画像データ（例えば、個人または物の写真データ、例えば、ビデオデータ、デジタル静止画像データ）を処理サブシステム３０４およびディスプレイ２０４に出力するように構成される。一側面では、撮像サブシステム３０８は、画像を捕捉し、デジタル形式で電子的に記憶するために使用される、電子デバイスとして実装されるデジタルカメラを備えてもよい。加えて、いくつかの側面では、デジタルカメラは、静止画像に加えて、音および／またはビデオを記録することが可能であり得る。
【００３１】
種々の側面では、撮像サブシステム３０８は、デジタルカメラのための機能性を提供する、レンズ位置構成要素、マイクロホン位置構成要素、およびフラッシュ制御モジュールを含む、デジタルカメラの構成要素に制御信号を提供するように、コントローラを備えてもよい。いくつかの側面では、コントローラは、例えば、モバイルデバイス１０２の処理サブシステム３０４のホストプロセッサ要素として実装されてもよい。代替として、撮像コントローラは、ホストプロセッサとは別個のプロセッサとして実装されてもよい。
【００３２】
種々の側面では、撮像サブシステム３０８は、モバイルデバイス１０２の処理サブシステム３０４の要素として、または別個の要素としてのいずれかで、メモリを備えてもよい。種々の側面では、メモリのある部分または全体が、コントローラと同一の集積回路上に含まれ得ることは、特筆に値する。代替として、メモリのある部分または全体は、コントローラの集積回路の外部の集積回路または他の媒体（例えば、ハードディスクドライブ）上に配置されてもよい。
【００３３】
種々の側面では、開口２０６は、レンズ構成要素と、レンズ位置構成要素とを含む。レンズ構成要素は、例えば、ガラス、プラスチック、アクリル、またはプレキスガラス等の透明材料で作製される、写真または光学レンズ、あるいはレンズの配列から成ってもよい。一側面では、レンズ構成要素の１つまたはそれを上回るレンズ要素は、物体の画像を再現し、レンズ要素の焦点距離を機械的に変化させることによって、物体上で拡大または縮小を可能にしてもよい。種々の側面では、画像上で拡大または縮小するために、デジタルズームが撮像サブシステム３０８で採用されてもよい。いくつかの側面では、１つまたはそれを上回るレンズ要素は、レンズ要素の焦点距離を変動させることによって、画像の異なる部分に焦点を合わせるために使用されてもよい。所望の焦点は、デジタル撮像サブシステム３０８の自動焦点特徴を用いて、または例えば、画像の所望の部分に手動で焦点を合わせることによって得られてもよい。
【００３４】
種々の側面では、ナビゲーションサブシステム３１０は、モバイルデバイス１０２を使用するナビゲーションをサポートする。種々の側面では、モバイルデバイス１０２は、場所また配置判定能力を備えてもよく、とりわけ、例えば、全地球測位システム（ＧＰＳ）技法、セルグローバル識別（ＣＧＩ）技法、タイミングアドバンス（ＴＡ）技法を含むＣＧＩ、拡張フォワードリンク三角測量（ＥＦＬＴ）技法、到達時間差（ＴＤＯＡ）技法、到達角（ＡＯＡ）技法、高度フォワードリンク三角測量（ＡＦＴＬ）技法、観察到達時間差（ＯＴＤＯＡ）、拡張観察時間差（ＥＯＴＤ）技法、補助ＧＰＳ（ＡＧＰＳ）技法、ハイブリッド技法（例えば、ＣＤＭＡネットワーク用のＧＰＳ／ＣＧＩ、ＡＧＰＳ／ＣＧＩ、ＧＰＳ／ＡＦＴＬ、またはＡＧＰＳ／ＡＦＴＬ、ＧＳＭ（登録商標）／ＧＰＲＳネットワーク用のＧＰＳ／ＥＯＴＤまたはＡＧＰＳ／ＥＯＴＤ、ＵＭＴＳネットワーク用のＧＰＳ／ＯＴＤＯＡまたはＡＧＰＳ／ＯＴＤＯＡ）を含む、１つまたはそれを上回る場所判定技法を採用してもよい。
【００３５】
種々の側面では、モバイルデバイス１０２は、例えば、独立型モード、移動局（ＭＳ）支援モード、および／またはＭＳベースのモードを含む、１つまたはそれを上回る場所判定モードで動作するように構成されてもよい。独立型ＧＰＳモード等の独立型モードでは、モバイルデバイス１０２は、ネットワークから無線ナビゲーションデータを受信することなく、その位置を判定するように構成されてもよいが、暦、天体暦、および粗データ等のあるタイプの位置補助データを受信してもよい。独立型モードでは、モバイルデバイス１０２は、アンテナ２０８を介して衛星データを受信するように、および位置固定を計算するように構成される、筐体２０２内で統合され得るＧＰＳ受信機等のローカル場所判定回路を備えてもよい。ローカル場所判定回路は、代替として、筐体２０２とは別個の第２の筐体の中であるが、モバイルデバイス１０２の近傍にあり、無線で（例えば、Ｂｌｕｅｔｏｏｔｈ（登録商標）等のＰＡＮを介して）モバイルデバイス１０２と通信するように構成される、ＧＰＳ受信機を備えてもよい。しかしながら、ＭＳ支援モードまたはＭＳベースのモードで動作するとき、モバイルデバイス１０２は、無線アクセスネットワーク（例えば、ＵＭＴＳ無線アクセスネットワーク）を経由して、遠隔コンピュータ（例えば、とりわけ、場所判定エンティティ（ＬＤＥ）、ロケーションプロキシサーバ（ＬＰＳ）、および／またはモバイル測位センタ（ＭＰＣ））と通信するように構成されてもよい。
【００３６】
種々の側面では、モバイルデバイス１０２はまた、無線サブシステム３０２、処理サブシステム３０４、およびモバイルデバイス１０２の他の要素を含む、モバイルデバイス１０２のための電力を管理する電力管理サブシステム（図示せず）を備えてもよい。例えば、電力管理サブシステムは、直流（ＤＣ）電流を提供する１つまたはそれを上回るバッテリと、標準ＡＣ主要電力供給部から電力を引き出す１つまたはそれを上回る交流（ＡＣ）インターフェースとを含んでもよい。
【００３７】
種々の側面では、無線サブシステム３０２は、アンテナ２０８を含んでもよい。アンテナ２０８は、無線共有媒体を経由してＲＦエネルギーをブロードキャストおよび受信してもよい。アンテナ２０８の実施例は、内部アンテナ、全方向性アンテナ、モノポールアンテナ、ダイポールアンテナ、端部送給アンテナ、円偏光アンテナ、マイクロストリップアンテナ、ダイバーシティアンテナ、デュアルアンテナ、アンテナアレイ、らせんアンテナ等を含んでもよい。側面は、これに関連して限定されない。
【００３８】
種々の側面では、アンテナ２０８は、マルチプレクサに接続されてもよい。マルチプレクサは、アンテナ２０８に送達するために電力増幅器からの信号を多重化する。マルチプレクサは、ＲＦチップセットに送達するためにアンテナから受信される信号を逆多重化する。
【００３９】
種々の側面では、マルチプレクサは、電力増幅器に接続されてもよく、電力増幅器は、無線共有媒体を経由して伝送される任意の信号を増幅するために使用されてもよい。電力増幅器は、４周波数帯システムにおける４つの周波数帯等の全ての割り当てられた周波数帯で稼働してもよい。電力増幅器はまた、ＧＳＭ（登録商標）システムに好適なガウス最小偏移（ＧＭＳＫ）変調、またはＥＤＧＥシステムに好適な８位相偏移（８−ＰＳＫ）変調等の種々の変調モードで動作してもよい。
【００４０】
種々の側面では、電力増幅器は、ＲＦチップセットに接続されてもよい。ＲＦチップセットはまた、マルチプレクサに接続されてもよい。一側面では、ＲＦチップセットは、ＲＦドライバと、ＲＦ送受信機とを備えてもよい。ＲＦチップセットは、４周波数帯Ｅ−ＧＰＲＳ無線のためのＧＭＳＫおよび８−ＰＳＫ信号タイプに必要とされる、変調および直接変換動作の全てを行う。ＲＦチップセットは、ベースバンドプロセッサからアナログ同相（Ｉ）および直交（Ｑ）信号を受信し、Ｉ／Ｑ信号を、電力増幅器による増幅に好適なＲＦ信号に変換する。同様に、ＲＦチップセットは、アンテナ２０８およびマルチプレクサを介して、無線共有媒体から受信される信号を、ベースバンドプロセッサに送信されるアナログＩ／Ｑ信号に変換する。ＲＦチップセットは、一例として２つのチップを使用してもよいが、より多いまたは少ないチップセットを使用して、ＲＦチップセットが実装され、側面の意図された範囲内に依然として入り得ることが理解され得る。
【００４１】
種々の側面では、ＲＦチップセットは、ベースバンドプロセッサに接続されてもよく、ベースバンドプロセッサは、無線サブシステム５１４のためのベースバンド動作を行ってもよい。ベースバンドプロセッサは、アナログおよびデジタルベースバンド区分の両方を備えてもよい。アナログベースバンド区分は、Ｉ／Ｑフィルタ、アナログ・デジタル変換器、デジタル・アナログ変換器、オーディオ回路、および他の回路を含む。デジタルベースバンド区分は、１つまたはそれを上回るエンコーダ、デコーダ、等化器／復調器、ＧＭＳＫ変調器、ＧＰＲＳ暗号、送受信機制御、自動周波数制御（ＡＦＣ）、自動利得制御（ＡＧＣ）、電力増幅器（ＰＡ）ランプ制御、および他の回路を含んでもよい。
【００４２】
種々の側面では、ベースバンドプロセッサはまた、メモリバスを介して１つまたはそれを上回るメモリユニットに接続されてもよい。一側面では、例えば、ベースバンドプロセッサは、フラッシュメモリユニットおよびセキュアデジタル（ＳＤ）メモリユニットに接続されてもよい。メモリユニットは、可撤性または非可撤性メモリであってもよい。一側面では、例えば、ベースバンドプロセッサは、Ｅ−ＧＰＲＳおよび他のプロトコルスタックの必要性のために、約１．６メガバイトのスタティック読取専用メモリ（ＳＲＡＭ）を使用してもよい。
【００４３】
種々の側面では、ベースバンドプロセッサはまた、加入者識別モジュール（ＳＩＭ）に接続されてもよい。ベースバンドプロセッサは、ＳＩＭ用のＳＩＭインターフェースを有してもよく、ＳＩＭは、音声およびデータ伝送を暗号化し、音声またはデータ通信を供給するネットワークに対してユーザを識別および認証することができるように、特定のユーザについてのデータを記憶する、スマートカードを備えてもよい。ＳＩＭはまた、ユーザおよび電話番号に特有の個人電話設定等のデータを記憶してもよい。ＳＩＭは、可撤性または非可撤性であり得る。
【００４４】
種々の側面では、ベースバンドプロセッサはさらに、処理サブシステム３０４のホストプロセッサとともに通信するための種々のインターフェースを含んでもよい。例えば、ベースバンドプロセッサは、１つまたはそれを上回る万能非同期受伝送機（ＵＡＲＴ）インターフェース、ホストプロセッサへの１つまたはそれを上回る制御／状態ライン、ホストプロセッサへの１つまたはそれを上回る制御／データライン、およびオーディオ信号を処理サブシステム５１４のオーディオサブシステムに伝達する１つまたはそれを上回るオーディオラインを有してもよい。側面は、これに関連して限定されない。
【００４５】
種々の側面では、処理サブシステム３０４は、モバイルデバイス１０２用および／または認証サブシステム３０６用の計算または処理動作を提供してもよい。例えば、処理サブシステム３０４は、モバイルデバイス１０２用の種々のソフトウェアプログラム、ならびに認証サブシステム３０６用のいくつかのソフトウェアプログラムを実行するように配列されてもよい。処理サブシステム３０４は、プロセッサによって実行されるソフトウェアとして、種々の側面のための動作を実装するために使用されてもよいが、処理サブシステム３０４によって行われる動作はまた、特定の実装のために所望に応じて、ハードウェア回路または構造、あるいはハードウェアおよびソフトウェアの組み合わせを使用して、実装され得ることが理解され得る。
【００４６】
種々の側面では、処理サブシステム３０４は、複数命令セットコンピュータ（ＣＩＳＣ）マイクロプロセッサ、縮小命令セットコンピュータ（ＲＩＳＣ）マイクロプロセッサ、超長命令語（ＶＬＩＷ）マイクロプロセッサ、命令セットの組み合わせを実装するプロセッサ、または他のプロセッサデバイス等の任意のプロセッサまたは論理デバイスを使用して実装される、プロセッサを含んでもよい。一側面では、例えば、プロセッサは、Ｉｎｔｅｌ  Ｃｏｒｐｏｒａｔｉｏｎ（Ｓａｎｔａ  Ｃｌａｒａ，  Ｃａｌｉｆ．）製のプロセッサ等の汎用プロセッサとして実装されてもよい。プロセッサはまた、コントローラ、マイクロコントローラ、組み込みプロセッサ、デジタル信号プロセッサ（ＤＳＰ）、ネットワークプロセッサ、メディアプロセッサ、入出力（Ｉ／Ｏ）プロセッサ、メディアアクセス制御（ＭＡＣ）プロセッサ、無線ベースバンドプロセッサ、フィールドプログラマブルゲートアレイ（ＦＰＧＡ）、プログラマブル論理デバイス（ＰＬＤ）等の専用プロセッサとして実装されてもよい。
【００４７】
一側面では、処理サブシステム３０４は、プロセッサに接続するメモリを含んでもよい。メモリは、揮発性および不揮発性メモリの両方を含む、データを記憶することが可能な任意の機械可読またはコンピュータ可読媒体を使用して実装されてもよい。例えば、メモリは、ＲＯＭ、ＲＡＭ、ＤＲＡＭ、ＤＤＲＡＭ、ＳＤＲＡＭ、ＳＲＡＭ、ＰＲＯＭ、ＥＰＲＯＭ、ＥＥＰＲＯＭ、フラッシュメモリ、強誘電体ポリマーメモリ等のポリマーメモリ、オボニックメモリ、相変化または強誘電体メモリ、シリコン・酸化物・窒化物・酸化物・シリコン（ＳＯＮＯＳ）メモリ、磁気または光学カード、あるいは情報を記憶するために好適な任意の他のタイプの媒体を含んでもよい。メモリのある部分または全体が、プロセッサと同一の集積回路上に含まれ、それによって、メモリバスの必要性をなくし得ることは、特筆に値する。代替として、メモリのある部分または全体は、プロセッサの集積回路の外部にある集積回路または他の媒体、例えば、ハードディスクドライブ上に配置されてもよく、プロセッサは、例えば、メモリバスを介してメモリにアクセスしてもよい。
【００４８】
種々の側面では、メモリは、１つまたはそれを上回るソフトウェア構成要素（例えば、アプリケーションクライアントモジュール）を記憶してもよい。ソフトウェア構成要素は、一式の離散動作を実装するために使用される、１つまたはそれを上回るプログラムまたはプログラムの一部分を指してもよい。所与のデバイスのためのソフトウェア構成要素の集合は、ソフトウェアアーキテクチャまたはアプリケーションフレームワークと集合的に称されてもよい。モバイルデバイス１０２のためのソフトウェアアーキテクチャは、以下でさらに詳細に説明される。
【００４９】
モバイルデバイス１０２とともに使用するために好適なソフトウェアアーキテクチャは、ユーザインターフェース（ＵＩ）モジュール、インターフェースモジュール、データソースまたはバックエンドサービスモジュール（データソース）、および第三者ＡＰＩモジュールを含んでもよい。随意的なＬＢＳモジュールは、ユーザベースの許可モジュール、パーサモジュール（例えば、Ｎａｔｉｏｎａｌ  Ｍａｒｉｔｉｍｅ  Ｅｌｅｃｔｒｏｎｉｃ  ＡｓｓｏｃｉａｔｉｏｎまたはＮＭＥＡ）、場所情報源モジュール、および位置情報源モジュールを備えてもよい。いくつかの側面では、いくつかのソフトウェア構成要素が省略されてもよく、他の構成要素が追加されてもよい。さらに、いくつかのプログラムのための動作は、所与の実装のために所望に応じて、付加的なソフトウェア構成要素に分離されるか、またはより少ないソフトウェア構成要素に統合されてもよい。モバイルデバイス１０２ソフトウェアアーキテクチャは、本明細書では集合的に「モジュール」と称される、いくつかの要素、構成要素、またはモジュールを備えてもよい。モジュールは、回路、集積回路、特定用途向け集積回路（ＡＳＩＣ）、集積回路アレイ、集積回路または集積回路アレイを備えるチップセット、論理回路、メモリ、集積回路アレイまたはチップセットの要素、積層集積回路アレイ、プロセッサ、デジタル信号プロセッサ、プログラマブル論理デバイス、コード、ファームウェア、ソフトウェア、およびそれらの任意の組み合わせとして実装されてもよい。
【００５０】
コンピュータシステムの一実施例としてモバイルデバイス１０２を説明したが、以下のコンピュータシステムのうちのいずれか、すなわち、限定されないが、コンピュータネットワーク、デスクトップコンピュータ、ラップトップコンピュータ、ノートブックコンピュータ、タブレットコンピュータ、携帯電話、携帯情報端末、アプライアンス、測位システム、メディアデバイス、現金自動預払機（ＡＴＭ）、キオスク、公共交通手段（バス、電車、地下鉄、飛行機、船、レンタカー…）、ビルの入口、スタジアム、回転ドア、任意の形態で薬剤を分注する医療システムは、セキュリティ目的でコンピュータシステムの所有者としてユーザを認証するように、少なくとも１つの電極および検出サブシステムを装備できることが理解されるであろう。簡潔かつ明確にするために、これらのコンピュータシステムの必ずしも全てが、本明細書で議論されるわけではない。
【００５１】
ここで、例えば、本明細書では摂取可能な事象マーカーシステム１０６と別様に称される、ＩＥＭデバイス等の摂取可能な事象マーカーによって生成される電気信号を検出するためのそれと統合された検出回路を備える、モバイルデバイス封入配列１１０２を伴う噛合構成で受容される、モバイルデバイス１１００の側面を図示する、図１９−２１を簡潔に参照する。それらは、硬質プラスチックで、またはより新しい市場接着裏地付きビニル部品で作製することができる。図１９は、例えば、摂取可能な事象マーカー１０６によって生成される電気信号を検出するためのそれと統合された検出回路を備える、モバイルデバイス封入配列１１０２を伴う噛合構成で受容される、モバイルデバイス１１００の一側面を図示する。
【００５２】
封入配列１１０２は、モバイルデバイス用のいくつかの付属品の中でも、筐体、エンクロージャ、取付具、スキン、デザインカバーと称されてもよく、モバイルデバイス１１００を実質的または部分的に覆うか、または封入してもよい。図２０は、モバイルデバイス１１００、および非噛合構成でモバイルデバイス１１００を受容するための封入配列１１０２（クレードル、保護カバー、スキン、および同等物）を図示する。図１９および２０に示されるモバイルデバイス１１００は、モバイルデバイス１０２および以上に説明されたその他に実質的に類似し、したがって、開示を簡潔かつ明確にするために、類似機能モジュールの高レベルの説明をここで繰り返さない。
【００５３】
図１９および２０に示されるように、モバイルデバイス１１００は、封入配列１１０２と噛合するように構成される。封入配列１１０２は、それと統合された検出モジュール１２００を含有する。検出モジュール１２００は、検出サブシステム５１６に類似する電極入力回路と、図４で電極入出力インターフェース回路４０１として示される電極入力回路とを備える、検出サブシステムを備える。検出サブシステムおよび電極入力回路構成要素の類似性により、開示を簡潔かつ明確にするために、特定の詳細をここで繰り返さない。封入配列１１０２はまた、患者を検出モジュール１２００に連結するように、電極１２０２Ａおよび１２０２Ｂ（図２０では示されず、図２１で示される）も含む。検出モジュール１２００は、摂取可能な事象マーカーシステム１０６（例えば、ＩＥＭデバイス）によって生成される一意の電気シグネチャを検出して処理するように、モバイルデバイス１１００の機能モジュールに電気的に連結されてもよい。検出モジュール１２００は、例えば、誘導連結、無線伝送、電気コネクタ、および同等物等の任意の好適な技法を使用して、モバイルデバイス１１００の機能モジュールに電気的に連結されてもよい。検出モジュール１２００をモバイルデバイス１１００の機能モジュールに電気的に連結する好適なコネクタを備える、筐体の一実施例が、図２１に関連して説明される。
【００５４】
図２１は、封入配列１１０２が、それと統合された摂取可能な事象マーカーによって生成される電気信号を検出するための検出回路１２００と、検出回路１２００をモバイルデバイスの機能モジュールに電気的に連結するためのコネクタ１３００とを備える、モバイルデバイスを受容するための封入配列１１０２の一側面を図示する。使用中に、モバイルデバイス（図示せず）は、封入配列１１０２上で摺動可能に挿入され、コネクタ１３００に差し込まれる。電極１２０２Ａ、１２０２Ｂが、患者を検出モジュール１２００に連結するために使用される。コネクタ１３００は、いくつかある目的の中でも、検出モジュール１２００をモバイルデバイス１１００（図２０）の機能モジュールに連結する。一側面では、封入配列１１０２と統合された検出モジュール１２００は、独立型モジュールであり、ＩＥＭデバイスによって生成される一意の電流シグネチャを検出するために全ての必要な電子モジュールを含む。
【００５５】
ユーザを認証し、対象１００（図１）の身元を証明するように個人電気信号を検出および／または生成するための認証サブシステム３０６の一側面のブロック機能図である、図４を再び参照する。認証サブシステム３０６は、電極１０４ａ、１０４ｂから／に電気信号を受信／伝送するように、電極入出力インターフェース回路４０１を備える。認証サブシステム３０６は、受信モード、ブロードキャストモード、またはそれらの組み合わせで動作するように構成することができる。受信モードでは、入出力インターフェース回路４０１は、電極１０４ａ、１０４ｂから電気信号を受信する。ブロードキャストモードでは、入出力インターフェース回路４０１は、電気信号を電極１０４ａ、１０４ｂに伝送する。
【００５６】
経身体伝導通信モジュール４０２および生理学的感知モジュール４０４が、電極入出力インターフェース回路４０１に電気的に連結される。一側面では、経身体伝導通信モジュール４０２は、第１の、例えば、高周波数（ＨＦ）信号連鎖として実装され、生理学的感知モジュール４０４は、第２の、例えば、低周波数（ＬＦ）信号連鎖として実装される。また、（周囲温度を検出するための）ＣＭＯＳ温度感知モジュール４０６および３軸加速度計４０８も示されている。認証サブシステム３０６はまた、処理エンジン４１８（例えば、マイクロコントローラおよびデジタル信号プロセッサ）と、（データ記憶のための）不揮発性メモリ４１０と、例えば、それぞれ、データダウンロード／アップロード動作で、別のデバイスからデータを受信し、および／またはそこにデータを伝送する無線通信モジュール４１２とを備える。種々の側面では、通信モジュール４１２は、１つまたはそれを上回る伝送機／受信機（「送受信機」）モジュールを備えてもよい。本明細書で使用されるように、「送受信機」という用語は、限定ではないが、伝送機、受信機、または両方の組み合わせを含むために、非常に一般的な意味で使用されてもよい。一側面では、経身体伝導通信モジュール４０２は、摂取可能な事象マーカーシステム１０６（図１、５）と通信するように構成される。受信モードでは、経身体伝導通信モジュール４０２は、電極１０４ａ、１０４ｂのうちの少なくとも１つ（図１）を介して、対象１００（図１）から相互伝導電流信号を受信するように構成される。ブロードキャストモードでは、経身体伝導通信モジュール４０２は、電極１０４ａ、１０４ｂのうちの少なくとも１つ（図１）を介して、相互伝導電流信号を対象１００に伝送するように構成される。一側面では、経身体伝導通信モジュール４０２は、モバイルデバイス用のスキンまたはデザインカバーとして構成される。
【００５７】
センサ４１４は、典型的には、対象１００（図１）に接触し、例えば、胴体に取り外し可能に取付可能である。種々の側面では、センサ４１４は、認証サブシステム３０６に取り外し可能または永久的に取り付けられてもよい。例えば、センサ４１４は、金属スタッドをスナップ留めすることによって、別のデバイスに取り外し可能に接続されてもよい。センサ４１４は、例えば、生理学的データを感知または受信することが可能な種々のデバイスを備えてもよい。センサ４１４のタイプは、例えば、生体適合性電極等の電極を含む。センサ４１４は、例えば、圧力センサ、運動センサ、加速度計、筋電図（ＥＭＧ）センサ、事象マーカーシステム、生体電位センサ、心電図センサ、温度センサ、触覚事象マーカーセンサ、およびインピーダンスセンサとして構成されてもよい。
【００５８】
フィードバックモジュール４１６は、ソフトウェア、ハードウェア、回路、種々のデバイス、およびそれらの組み合わせを用いて実装されてもよい。フィードバックモジュール４１６の機能は、上記で説明されるように、慎重で機転の利く熟慮した様式で、対象１００（図１）との通信を提供することである。種々の側面では、フィードバックモジュール４１６は、視覚、オーディオ、振動／触覚、嗅覚、および味覚を採用する技法を使用して、対象１００と通信するように実装されてもよい。
【００５９】
図５は、個人の身元を確認するための一意の相互コンダクタンス信号を生成するように構成される、摂取可能な事象マーカーシステム１０６の一側面を図示する。種々の側面では、摂取可能な事象マーカーシステム１０６は、上記のように、薬剤の起源を判定するために、ならびに正しいタイプおよび正しい投与量のうちの少なくとも１つの薬剤が患者に送達されたことを確認するために、およびいくつかの側面では、患者が医薬品を服用するときを判定するために、任意の医薬品と関連して使用することができる。しかしながら、本開示の範囲は、システム１０６とともに使用され得る環境および医薬品によって限定されない。例えば、システム１０６は、無線モードで、カプセル内にシステム１０６を配置し、次いで、伝導流体内にカプセルを配置することによる流電モードで、またはそれらの組み合わせで、あるいはシステム１０６を空気に暴露してのいずれかで、起動されてもよい。いったん伝導流体の中に配置されると、例えば、カプセルは、ある期間にわたって溶解し、システム１０６を伝導流体の中へ放出するであろう。したがって、一側面では、カプセルは、システム１０６を含有し、いかなる製品も含有しないであろう。次いで、そのようなカプセルは、伝導流体が存在する任意の環境で、任意の製品とともに使用されてもよい。例えば、カプセルは、ジェット燃料、塩水、トマトソース、モータ油、または任意の類似製品で充填されたコンテナの中へ落下させられてもよい。加えて、システム１０６を含有するカプセルは、製品が服用されたとき等の事象の発生を記録するために、任意の医薬品が摂取されるのと同時に摂取されてもよい。
【００６０】
薬剤または医薬品と組み合わせられたシステム１０６の具体的実施例では、製品または錠剤が摂取されるか、または空気に暴露されると、システム１０６が流電モードで起動される。システム１０６は、例えば、電極１０４ａ、１０４ｂ（図１−４）によって検出される一意の電流シグネチャを生成するようにコンダクタンスを制御し、それによって、コンピュータシステム（例えば、モバイルデバイス１０２）の所有者としてユーザを認証する、一意の相互伝導信号を伝送する。無線モードで起動されたとき、本システムは、検出されるシステム１０６と関連付けられる一意の電圧シグネチャを生成するように、容量性プレートの変調を制御する。
【００６１】
一側面では、システム１０６は、フレームワーク５０２を含む。フレームワーク５０２は、システム１０６のためのシャーシであり、複数の構成要素が、フレームワーク５０２に取り付けられ、その上に堆積させられ、またはそれに固着される。システム１０６の本側面では、可消化材料５０４が、フレームワーク５０２と物理的に関連付けられる。材料５０４は、フレームワーク上に化学的に堆積させられ、その上に蒸発させられ、それに固着され、またはその上に蓄積されてもよく、その全ては、フレームワーク５０２に関して本明細書では「堆積」と称されてもよい。材料５０４は、フレームワーク５０２の片側上に堆積させられる。材料５０４として使用することができる、目的とする材料は、Ｃｕ、ＣｕＣｌ、またはＣｕｌを含むが、それらに限定されない。材料５０４は、いくつかあるプロトコルの中でも、物理的蒸着、電着、またはプラズマ蒸着によって堆積させられる。材料５０４は、厚さ約５μｍ〜約１００μｍ等の厚さ約０．０５μｍ〜約５００μｍであってもよい。形状は、シャドウマスク蒸着、またはフォトリソグラフィおよびエッチングによって制御される。加えて、たとえ１つだけの領域が材料を堆積させるために示されていても、各システム１０６は、材料５０４が所望に応じて堆積させられ得る、２つまたはそれを上回る電気的に独特の領域を含有してもよい。
【００６２】
図５に示されるように反対側である、異なる側面では、材料５０４、５０６が異種であり、相互から絶縁される、別の可消化材料５０６が堆積させられる。示されていないが、選択される異なる側面は、材料５０４のために選択される側面の隣の側面であってもよい。本開示の範囲は、選択される側面によって限定されず、「異なる側面」という用語は、第１の選択された側面とは異なる複数の側面のうちのいずれかを意味することができる。種々の側面では、異種材料は、同一の側面上の異なる位置に位置してもよい。さらに、本システムの形状は正方形として示されているが、形状は、任意の幾何学的に好適な形状であってもよい。材料５０４、５０６は、システム１０６が体液等の伝導液体と接触しているときに電圧電位差を生じるように選択される。材料５０６のための目的とする材料は、Ｍｇ、Ｚｎ、または他の電気陰性金属を含むが、それらに限定されない。材料５０４に関して上記で示されるように、材料５０６は、フレームワーク上に化学的に堆積させられ、その上に蒸発させられ、それに固着され、またはその上に蓄積されてもよい。また、材料５０６（ならびに必要とされるときは材料５０４）がフレームワーク５０２に接着することに役立つために、接着層が必要であり得る。材料５０６のための典型的な接着層は、Ｔｉ、ＴｉＷ、Ｃｒ、または類似材料であり得る。アノード材料および接着層が、物理的蒸着、電着、またはプラズマ蒸着によって堆積させられてもよい。材料５０６は、厚さ約５μｍ〜約１００μｍ等の厚さ約０．０５μｍ〜約５００μｍであってもよい。しかしながら、本開示の範囲は、材料のうちのいずれかの厚さによっても、材料をフレームワーク５０２に堆積させるか、あるいは固着するために使用されるプロセスのタイプによっても限定されない。
【００６３】
記載される本開示によると、材料５０４、５０６は、異なる電気化学電位を伴う任意の一対の材料であり得る。加えて、システム１０６が生体内で使用される側面では、材料５０４、５０６は、吸収することができるビタミンであってもよい。より具体的には、材料５０４、５０６は、システム１０６が動作するであろう環境に適切である、いずれか２つの材料で作製することができる。例えば、摂取可能な製品とともに使用されるとき、材料５０４、５０６は、摂取可能である異なる電気化学電位を伴う任意の一対の材料である。例証的実施例は、システム１０６が、例えば、胃酸、皮膚の表面を通して分泌される流体、皮膚の表面の下方に位置する流体等のイオン溶液と接触している場合を含む。好適な材料は、金属に制限されず、ある側面では、対合材料は、金属および非金属、例えば、金属（Ｍｇ等）および塩（ＣｕＣｌまたはＣｕｌ等）で構成される一対から選択される。活性電極材料に関して、好適に異なる電気化学電位（電圧）および低界面抵抗を伴う物質、すなわち、金属、塩、または層間化合物の任意の対合が好適である。
【００６４】
目的とする材料および対合は、以下の表１で報告されるものを含むが、それらに限定されない。一実施形態では、金属の一方または両方は、例えば、伝導液体と接触する際に材料の間で生成される電圧電位を増進するように、非金属でドープされてもよい。ドープ材として使用され得る非金属は、ある側面では、硫黄、ヨウ素、および同等物を含むが、それらに限定されない。別の側面では、材料は、アノードとしてヨウ化銅（Ｃｕｌ）、およびカソードとしてマグネシウム（Ｍｇ）である。本開示の側面は、人体に有害ではない電極材料を使用する。
【００６５】
【表１】
2020181609.tif 000003
したがって、システム１０６が伝導流体と接触しているとき、電流経路が異種材料５０４、５０６の間に伝導流体を通して形成される。制御デバイス５０８が、フレームワーク５０２に固着され、材料５０４、５０６に電気的に連結される。制御デバイス５０８は、電子回路、例えば、材料５０４、５０６の間のコンダクタンスを制御して変化させることが可能である制御論理を含む。
【００６６】
異種材料５０４、５０６の間に生成される電圧電位は、システムを操作するための電力を提供するとともに、伝導流体およびシステム１０６を通る電流を生成する。一側面では、システム１０６は、直流モードで動作する。代替的な側面では、システム１０６は、交流電流と同様に、電流の方向が周期的に逆転させられるように、電流の方向を制御する。本システムが伝導流体または電解質に到達すると、流体または電解質成分が、生理学的流体、例えば、胃酸によって提供される場合、異種材料５０４、５０６の間の電流のための経路が、システム１０６の外部に完成し、システム１０６を通る電流経路は、制御デバイス５０８によって制御される。電流経路の完成は、電流が流動することを可能にし、順に、示されていない受信機は、電流の存在を検出し、システム１０６が起動されており、所望の事象が起こっているか、または起こったことを認識することができる。
【００６７】
一側面では、２つの異種材料５０４、５０６は、バッテリ等の直流電源のために必要とされる２つの電極と機能が類似する。伝導液体は、電源を完成させるために必要とされる電解質の役割を果たす。説明される完成した電源は、システム１０６の異種材料５０４、５０６と身体の周辺流体との間の物理的化学反応によって画定される。完成した電源は、胃液、血液、または他の体液、およびいくつかの組織等のイオン性または伝導性溶液中の逆電解を活用する、電源と見なされてもよい。加えて、環境は、身体以外の何かであってもよく、液体は、任意の伝導液体であってもよい。例えば、伝導流体は、塩水または金属系塗料であってもよい。
【００６８】
ある側面では、２つの異種材料５０４、５０６は、材料の付加的な層によって周辺環境から遮蔽される。したがって、遮蔽が溶解させられ、２つの異種材料５０４、５０６が標的部位に暴露されたとき、電圧電気が生成される。
【００６９】
ある側面では、完成した電源または電力供給部は、電流コレクタおよびパッケージング等の活性電極材料、電解質、および非活性材料で構成されるものである。活性材料は、異なる電気化学電位を伴う任意の一対の材料である。好適な材料は、金属に制限されず、ある側面では、対合材料は、金属および非金属、例えば、金属（Ｍｇ等）および塩（Ｃｕｌ等）で構成される一対から選択される。活性電極材料に関して、好適に異なる電気化学電位（電圧）および低界面抵抗を伴う物質、すなわち、金属、塩、または層間化合物の任意の対合が好適である。
【００７０】
種々の異なる材料が、電極を形成する材料として採用されてもよい。ある側面では、識別子のシステムを駆動するために十分である、標的生理学的部位、例えば、胃との接触時に、電圧を提供するように、電極材料が選択される。ある側面では、標的生理学的部位との電源の金属との接触時に電極材料によって提供される電圧は、０．５ボルトまたはそれより高いものを含み、かつ１．０ボルトそれより高いものを含む、０．１Ｖそれより高いもの、例えば、０．３Ｖそれより高いもの等の０．０１Ｖそれより高いものを含む、０．００１Ｖそれより高いものであり、ある側面では、電圧は、約０．０１Ｖ〜約１０Ｖ等の約０．００１ボルト〜約１０ボルトに及ぶ。
【００７１】
依然として図５を参照すると、異種材料５０４、５０６は、制御デバイス５０８を起動するように電圧電位を提供する。いったん制御デバイス５０８が起動されるか、または電源を入れられると、制御デバイス５０８は、独特の様式で第１および第２の材料５０４、５０６の間のコンダクタンスを変化させることができる。第１および第２の材料５０４、５０６の間のコンダクタンスを変化させることによって、制御デバイス５０８は、システム１０６を包囲する伝導液体を通る電流の規模を制御することが可能である。これは、身体の内部または外部に位置付けることができる受信機（図示せず）によって検出および測定することができる、一意の電流シグネチャを生成する。受信機は、その全体で参照することにより本明細書に組み込まれる、２００９年１２月１５日に出願され、２０１０年１２月９日付けの第２０１０−０３１２１８８  Ａ１号として公開された、「ＢＯＤＹ−ＡＳＳＯＣＩＡＴＥＤ  ＲＥＣＥＩＶＥＲ  ＡＮＤ  ＭＥＴＨＯＤ」と題された米国特許出願第１２／６７３，３２６号でさらに詳細に開示されている。材料の間の電流経路の規模を制御することに加えて、その内容全体が参照することにより本明細書に組み込まれる、２００８年９月２５日に出願された「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」と題された米国特許出願第１２／２３８，３４５号で開示されるように、電流経路の「長さ」を増加させ、したがって、コンダクタンス経路を高めるように作用するために、非伝導金属、膜、または「スカート」が使用される。代替として、本明細書の本開示の全体を通して、「非伝導金属」、「膜」、および「スカート」という用語は、本明細書の範囲または本側面および請求項に影響を及ぼすことなく、「電流経路拡張器」という用語と同義的に使用される。５０５、５０７における部分で示されるスカートは、それぞれ、フレームワーク５０２と関連付けられ、例えば、それに固着されてもよい。スカートの種々の形状および構成が、本発明の種々の側面の範囲内と見なされる。例えば、システム１０６は、スカートによって完全または部分的に包囲されてもよく、スカートは、システム１０６の中心軸に沿って、または中心軸に対して中心を外れて位置付けられてもよい。したがって、本明細書で請求されるような本発明の側面は、スカートの形状またはサイズによって限定されない。さらに、他の側面では、異種材料５０４、５０６は、異種材料５０４、５０６の間の任意の画定された領域の中に位置付けられる、１つのスカートによって分離されてもよい。
【００７２】
システム１０６は、接地接触を通して接地されてもよい。システム１０６はまた、センサモジュールを含んでもよい。動作中に、イオンまたは電流経路が、第１の材料５０４と第２の材料５０６との間で、システム１０６と接触している伝導流体を通して確立される。第１および第２の材料５０４、５０６の間で生成される電圧電位は、第１および第２の材料５０４、５０６と伝導流体との間の化学反応を通して生成される。一側面では、第１の材料５０４の表面は、平面的ではないが、むしろ不規則な表面である。不規則な表面は、材料の表面積、したがって、伝導流体と接触する面積を増加させる。
【００７３】
一側面では、第１の材料５０４の表面では、伝導流体の中へ放出される塊があるように、材料５０４と周囲伝導流体との間の化学反応がある。塊という用語は、本明細書では、物質を形成する陽子および中性子を指す。一実施例は、材料がＣｕＣｌであり、伝導流体と接触しているときに、ＣｕＣｌが溶液中でＣｕ（固体）およびＣｌ−になる瞬間を含む。伝導流体へのイオンの流入は、イオン経路を介する。同様に、第２の材料５０６と周辺伝導流体との間に化学反応があり、イオンが第２の材料５０６によって捕捉される。第１の材料５０４でのイオンの放出、および第２の材料５０６によるイオンの捕捉は、集合的にイオン交換と称される。イオン交換の速度、したがって、イオン放出速度または流は、制御デバイス５０８によって制御される。制御デバイス５０８は、第１および第２の材料５０４、５０６の間のインピーダンスを変化させる、コンダクタンスを変化させることによって、イオン流の速度を増加または減少させることができる。イオン交換を制御することを通して、システム１０６は、イオン交換プロセスにおける情報を符号化することができる。したがって、システム１０６は、イオン交換における情報を符号化するためにイオン放出を使用する。
【００７４】
制御デバイス５０８は、周波数が変調され、振幅が一定であるときと同様に、速度または規模をほぼ一定に保ちながら、固定イオン交換速度または電流規模の持続時間を変化させることができる。また、制御デバイス５０８は、持続時間をほぼ一定に保ちながら、イオン交換速度のレベルまたは電流の規模を変化させることができる。したがって、持続時間の変化の種々の組み合わせを使用し、速度または規模を変化させて、制御デバイス５０８は、電流またはイオン交換における情報を符号化する。例えば、制御デバイス５０８は、以下の技法のうちのいずれか、すなわち、二位相偏移変調（ＰＳＫ）、周波数変調（ＦＭ）、振幅変調（ＡＭ）、オン・オフキーイング、およびオン・オフキーイングを伴うＰＳＫを使用してもよいが、それらに限定されない。
【００７５】
システム１０６の種々の側面は、制御デバイス５０８の一部として電子構成要素を備えてもよい。存在し得る構成要素は、論理および／またはメモリ要素、集積回路、インダクタ、抵抗器、および種々のパラメータを測定するためのセンサを含むが、それらに限定されない。各構成要素は、フレームワークに、および／または別の構成要素に固着されてもよい。支持体の表面上の構成要素は、任意の便利な構成でレイアウトされてもよい。２つまたはそれを上回る構成要素が中実支持体の表面上に存在する場合、相互接続が提供されてもよい。
【００７６】
システム１０６は、異種材料の間のコンダクタンス、したがって、イオン交換の速度または電流を制御する。特定の様式でコンダクタンスを変化させることを通して、本システムは、イオン交換および電流シグネチャにおける情報を符号化することが可能である。イオン交換または電流シグネチャは、特定のシステムを一意的に識別するために使用される。加えて、システム１０６は、種々の異なる一意の交換またはシグジェチャを生成することが可能であり、したがって、付加的な情報を提供する。例えば、付加的な情報を提供するために、第２のコンダクタンス変化パターンに基づく第２の電流シグネチャが使用されてもよく、その情報は、物理的環境に関係付けられ得る。さらに例証するために、第１の電流シグネチャは、チップ上の発振器を維持する非常に低い電流状態であってもよく、第２の電流シグネチャは、第１の電流シグネチャと関連付けられる電流状態より少なくとも１０倍高い電流状態であってもよい。
【００７７】
個人認証システムの基本的要素を説明してきたが、本開示はここで、認証システムの種々の側面の説明を参照する。図６は、標的認証デバイス６０２と、身体関連デバイス１１２を備える認証モジュールとを備える、認証システム６００の一側面を図示する。標的認証デバイス６０２は、認証受信機モジュール６０１を備える。身体関連デバイス１１２は、伝送デバイス６０３を備える。一実施形態では、身体関連デバイス１１２は、対象の身体１００から除去されたときに破壊される。
【００７８】
身体関連デバイス１１２は、皮膚の表面上に位置し、電極６０４ａ、６０４ｂを介して対象１００に電気的に連結される。一側面では、身体関連デバイス１１２は、より高度な認証機構のためのパスワードまたはプライベートキー等のメモリ６０８に記憶されている秘密コード６０６を用いて構成またはプログラムされる、伝送デバイス６０３を備える。身体関連デバイス１１２は、（受信モードと反対の）ブロードキャストモードで作用する。秘密コード６０６は、メモリ６０８から読み取られ、エンコーダ６１２によって信号６１０に符号化される。符号化された信号６１０は、Ｉ／Ｏインターフェース回路６１６によって導電性信号６１４に変換される。符号化された導電性信号６１４は、電極６０４ａ、６０４ｂを介して対象１００の身体６１７に印加される。バッテリＶｂａｔｔが、電源として身体関連デバイスに含まれてもよい。代替として、電源が、標的認証デバイス６０２から電極６０４ａ、６０４ｂを通してエネルギーを連結することによって実装されてもよい。さらに別の代替案では、摂取可能な事象マーカー１０６（図５）に関連して説明される電源に類似する電源が採用されてもよく、電源は、対象１００の皮膚の表面上で分泌される流体によって起動されてもよい。
【００７９】
導電性信号６１４は、対象１００の身体６１７を通して、標的認証デバイス６０２の認証受信機モジュール６０１に伝導される。電極６１８ａ、６１８ｂは、身体６１７から導電性信号６１４を検出し、Ｉ／Ｏインターフェース回路６２０を通してデコーダ６１９に連結される。デコーダ６１９は、導電性信号６１４を復号する。次いで、復号されたコード６２２は、比較モジュール６２４によって確立された基準６２６と比較される。コード６２２が確立された基準６２６に合致するとき、比較モジュール６２４は、電気信号に基づいてユーザの身元を認証するように、電気信号が所定の基準に合致するかどうかを判定する、プロセッサ６２８に結果を提供する。合致が起こったとき、プロセッサ６２９は、標的認証デバイス６０２を開錠し、対象１００によるアクセスを可能にする。一側面では、認証受信機モジュール６０１は、検出された信号を秘密で符号化し、符号化された信号を受信機モジュールに再伝送するように構成され、そこで符号化および秘密の数学的性質に依存する予測結果と比較される。一側面では、認証受信機モジュール６０１は、チャレンジに応答して正しい認証情報が提供されることを要求することによって、身元を検証する認証プロセスである、チャレンジレスポンス認証を認証するように構成される。認証情報は、通常、予測不可能なチャレンジ値に応答して計算される値であってもよいが、単にパスワードであってもよい。
【００８０】
標的認証デバイス６０２は、任意の数のデジタル機器であってもよい。以前に議論されたように、標的認証デバイス６０２は、図１−３に関連して説明されるようなモバイルデバイス１０２であってもよい。他の側面では、標的認証デバイス６０２は、上記で識別されるコンピュータシステムのうちのいずれかであってもよい。一側面では、標的認証デバイス６０２は、手がキーボードに触れたときにユーザの身元を確実にし、対象１００がウェブサイトに対して認証することを可能するキーボード、対象１００の銀行口座に対して認証し、対象１００が取引の支払を行うことを可能にする、チェックアウト端末、対象１００が車のハンドルを握っている者であることを把握し、対象１００だけのために始動する車、認定された対象１００が触れたときに開錠するドアノブの上に位置してもよく、標的は、対象１００が握手するときに両者が他方の身元を確信するように、別の個人でさえあってもよい。
【００８１】
伝送デバイス６０３を備える身体関連デバイス１１２は、パッチ、インプラント、ペンダント、指輪、衣類、ピアス、または宝飾品であってもよい。身体関連デバイス１１２は、対象１００と物理的および電気的に関連付けられ、秘密コード６０６を含有する。
【００８２】
一側面では、標的認証デバイス６０２の認証受信機モジュール６０１は、随意的であることを示すように透視で示される、図４に関連して説明されるような経身体伝導通信モジュール４０２を備えてもよい。通信は、伝送機が、対象１００の身体６１７上に位置する双極子を駆動し、標的認証デバイス６０２もまた、符号化された信号を受信するための双極子を含有する、図５で説明される摂取可能な事象マーカーシステム１０６と確立される同一の相互伝導リンクを介するものであり得る。代替として、標的認証デバイス６０２または伝送デバイス６０３のいずれか一方、あるいは両方は、身体６１７と接触している単一の電極を備えてもよく、対電極が自由空間への容量性接続である。これらの場合の全ては、認証が成功するために、認証コード６０６を含有する伝送デバイス６０３、および標的認証デバイス６０２の両方が、同一の身体６１７と伝導接触していることを確実にする。
【００８３】
別の側面では、標的認証デバイス６０２の認証受信機モジュール６０１は、随意的であることを示すように透視で示される、図４に関連して説明されるような生理学的感知モジュール４０４を備えてもよい。生理学的感知モジュール４０４は、実際に対象１００に取り付けられていることを確立するように、対象１００と関連付けられるバイオメトリックシグネチャを監視するために採用されてもよい。心拍数、活動パターン、ＧＳＲ、体温、概日リズム等のようなパラメータに基づく生理学的活動のプロファイルが、身体関連デバイス１１２上で生成されてもよい。このシグネチャは、認証コード６０６でハッシュ化され、標的認証デバイス６０２に伝送される。次いで、標的認証デバイス６０２は、対象１００を確認するように、バイオメトリックシグネチャを基準データベースと比較するであろう。一側面では、バイオメトリックシグネチャは、少なくとも１つの生理学的信号から導出され、バイオメトリックシグネチャは、ユーザ関連シグネチャと比較される。ユーザ関連シグネチャは、基準バイオメトリックシグネチャを生成するように、経時的にメモリに記憶されたバイオメトリックデータから導出されてもよく、認証モジュールデバイスは、ユーザの身元を認証するように、バイオメトリックシグネチャを基準バイオメトリックシグネチャと比較する。ユーザ関連バイオメトリックシグネチャはまた、このシステムの外側の他のソースから導出されてもよい。
【００８４】
別の側面では、標的認証デバイス６０２は、経時的にバイオメトリックプロファイルを取得し、過去の示度値を現在のものに対して比較する。このようにして、急な変化は、身体関連デバイス１１２がある個人から除去され、別の個人の上に置かれたことを示すことができる。
【００８５】
秘密認証コード６０６は、単純なパスワードベースの認証であってもよく、そのような場合、パスワードは、伝送デバイス６０３にプログラムされてもよく、または秘密認証コード６０６は、公衆チャネルを経由して認証を確立するために双方向通信が使用される、より複雑なチャレンジレスポンス方式であってもよい。当技術分野で公知である他の確立された認証スキームも、この場合に適用可能である。
【００８６】
さらに別の側面は、ある種類の身体関連デバイス１１２の上にロックを置くことである。身体関連デバイス１１２を開錠し、それが相互伝導的にキーをブロードキャストすることを可能にする（例えば、電流を伝導する伝導性媒体として対象１００の身体６１７を使用する）ために、ＰＩＮコードまたはタップパターンが必要とされ得る。
【００８７】
上記は、相互伝導通信を介してロック（この場合は、例えば、モバイルデバイス１０２等の標的認証デバイス６０２）と通信して開錠するキー（この場合は、身体関連デバイス１１２）の特定のインスタンス化である。種々の他の側面では、これは、任意の数のロック（例えば、電話、コンピュータ、ドア、車、金銭登録器、ＡＴＭ、自動販売機）と通信する、いくつかのキー（例えば、パッチ、腕時計、ポケット内のキーフォブ、スマートシューズ、宝飾品、衣類等）に一般化されてもよい。ある場合において、通信は双方向であることが有益であり得る。例えば、身体関連デバイス１１２およびモバイルデバイス１０２の場合、身体関連デバイス１１２は、認証コード６０６を周期的にブロードキャストすることによってセッションを開始する。モバイルデバイス１０２は、コード６０６を受信し、その真正性を検証し、モバイルデバイス１０２のディスプレイ２０４（図２、３）を開錠する。次いで、携帯電話１０２は、相互伝導または無線リンクを介して、確認を身体関連デバイス１１２に返信してもよく、次いで、身体関連デバイス１１２は、記憶された生理学的データをモバイルデバイス１０２にダウンロードすることを決定し得る。別の場合において、身体関連デバイス１１２は、限定数の認証のために事前にプログラムされてもよく、毎回、対合が身体関連デバイス１１２とモバイルデバイス１０２との間で確立された後に、カウンタが限界に達し、身体関連デバイス１１２が認定解除されるまで、カウンタがインクリメントされてもよい。
【００８８】
別の側面では、標的識別デバイス６０２と伝送デバイス６０３との間の関係は、使用関連利益および取引の確信を含むように、セキュリティおよび使用関連許可を超えて拡大することができる。例えば、（上記で記載されるアイテムに加えて、飲料コンテナ等の消費者関連製品包装を含むことができる）伝送デバイス６０３に関連付けられるロイヤルティ管理プログラムでは、特定の個人による確実な使用を伝送デバイス６０３によって確認することができ、それによって、ロイヤルティまたは他の利益が供与されることを可能にする。
【００８９】
別の側面では、個人関連認証トークンである代わりに、伝送デバイス６０３は、ギフトカードまたはイベントパスのような価値トークンとしての機能を果たすことができる。この場合、粘着ステッカーのような一時的伝送デバイス６０３が従来の取引で販売される。購入者は、自分の身体６１７に粘着ステッカーを貼り付け、対象１００の身体６１７との接触時に、価値がモバイルデバイス１０２（図１−３）に転送される。別の実施例では、クラブが、イベントの持続時間にわたってアクセスを制御するように、それを動作不能にすることなく除去することができないドアキーパッチを顧客に貼り付け得る。
【００９０】
別の側面では、認証プロセスは、標的認証デバイス６０２（例えば、モバイルデバイス１０２）が、対象１００の身体６１７を通して、コードを身体関連デバイス１１２（例えば、パッチ）に送信することができるという点で、双方向性であり得る。身体関連デバイス１１２は、信号を認証して標的認証デバイス６０２に返信し、次いで、標的認証デバイス６０２が開錠するであろう。別の側面では、摂取可能な組成物システム１０６からの電流信号が、認証のために標的認証デバイス６０２によって収集される信号を送信する、小型の埋込型デバイス、例えば、ドッグタグサイズのデバイスによって供給されてもよい。埋込型デバイスはまた、他の生理学的情報を収集するように、生理学的感知モジュール４０４を伴って構成されてもよい。
【００９１】
ここで図１−６を参照すると、さらに別の側面では、モバイルデバイス１０２は、所有者が単純にモバイルデバイス１０２に触れたときに摂取可能な事象マーカーシステム１０６によって生成される相互伝導信号を受信するように、修正することができる。相互伝導信号は、正モバイルデバイス１０２に触れる対象１００を当な所有者として識別する、認証情報を搬送する。これは、正当な所有者が標的認証デバイス１０２にアクセスする対象１００であることを依然として確実にしながら、手動でＰＩＮを入力する必要性を排除する。
【００９２】
一側面では、相互伝導信号源は、摂取された摂取可能な事象マーカーシステム１０６、または対象１００の身体６１７と直接接触している身体関連デバイス１１２または類似伝送デバイス６０３等の他の相互伝導信号伝送源であり得る。これは、対象１００の身体６１７に埋め込まれた伝送機を含む。
【００９３】
図７は、標的認証デバイス６０２と、対象１００の皮膚の下方に位置する埋込型身体関連デバイス１１３を備える認証伝送モジュールとを備える、認証システム７００の一側面を図示する。埋込型身体関連デバイス１１３は、対象１００の皮膚の下方に埋め込まれていることを示すように、埋込型身体関連デバイス１１３が透視で示されていることを除いて、図６に関連して説明される身体関連デバイス１１２に機能性が類似する。
【００９４】
図８は、標的認証デバイス６０２と、事象マーカーシステム８０５を備える認証伝送モジュールとを備える、認証システム８００の一側面を図示する。標的認証デバイス６０２は、認証受信機モジュール６０１を備える。事象マーカーシステム８０５は、対象１００の皮膚の上または下に位置し、認証コードを表す経身体伝導信号を生成する。事象マーカーシステム８０５は、伝送デバイス８０３を備える。
【００９５】
事象マーカーシステム８０５は、皮膚の表面上に位置し、電極６０４ａ、６０４ｂを介して対象１００に電気的に連結される。一側面では、事象マーカーシステム８０５は、より洗練された認証機構のためのパスワードまたはプライベートキー等のメモリ８０８に記憶されている秘密コード８０６を用いて構成またはプログラムされる、伝送デバイス８０３を備える。事象マーカーシステム８０５は、ブロードキャストモードで作用する。秘密コード８０６は、メモリ８０８から読み取られ、エンコーダ８１２によって信号８１０に符号化される。符号化された信号８１０は、Ｉ／Ｏインターフェース回路８１６によって導電性信号８１４に変換される。符号化された導電性信号８１４は、電極６０４ａ、６０４ｂを介して対象１００の身体６１７に印加される。
【００９６】
種々の側面では、事象マーカーシステム８０５は、異種材料から加工される一対の電極で構成される電源等の電源を含んでもよい。事象マーカーシステム８０５は、皮膚によって分泌される流体と接触するときに発電してもよい。そうでなければ、事象マーカーシステム８０５は、図５に関連して議論される摂取可能な事象マーカー１０６の動作と機能的に同等である。しかしながら、ある状況では、小型バッテリが事象マーカーシステム８０５の中に提供され得ることが理解されるであろう。事象マーカーシステム８０５はまた、コイル、例えば、ＲＦＩＤコイル等の非伝導性通信ツールに電気的に連結される、第２の電源を含んでもよい。
【００９７】
導電性信号８１４は、対象１００の身体６１７を通して、標的認証デバイス６０２の認証受信機モジュール６０１に伝導される。電極６１８ａ、６１８ｂは、身体６１７から導電性信号８１４を検出し、Ｉ／Ｏインターフェース回路６２０を通してデコーダ６１９に連結される。デコーダ６１９は、導電性信号８１４を復号する。次いで、復号されたコード６２２は、比較モジュール６２４によって確立された基準６２６と比較される。コード６２２が確立された基準６２６に合致するとき、比較モジュール６２４は、電気信号に基づいてユーザの身元を認証するように、電気信号が所定の基準に合致するかどうかを判定する、プロセッサ６２８に信号伝達する。合致が起こったとき、プロセッサ６２９は、標的認証デバイス６０２を開錠し、対象１００によるアクセスを可能にする。
【００９８】
目的とするいくつかの実施形態では、無線高周波モジュールである、非伝導性通信モジュールが提供されてもよい。無線高周波通信モジュールは異なり得るが、場合によっては、このモジュールは、高周波識別（ＲＦＩＤ）モジュールである。説明を容易にする目的のみで、ここで、非伝導性通信モジュールがＲＦＩＤ通信モジュールである実施形態に関して、本発明の実施形態をさらに説明する。しかしながら、上記のように、非伝導性通信モジュールは幅広く異なり得る。
【００９９】
場合によっては、ＲＦＩＤモジュールは、例えば、集積回路およびＲＦアンテナを組み込む。ＲＦＩＤモジュールは、例えば、集積回路および伝導性アンテナを組み込む、伝導性モジュールと通信可能に関連付けられてもよい。ＲＦＩＤモジュールまたは伝導性モジュールのいずれか一方、あるいは両方は、薬剤と関係または関連付けられる情報を受信、処理、記憶、および／または伝送するように、薬剤および／または薬剤包装と併せて機能してもよい。上記で示されるように、本デバイスおよびシステムは、実行可能で費用効果的な実装で安全で制御された正確な通信を提供するように、複数の様々な用途にわたって使用することができる。
【０１００】
本開示は、携帯電話に関連して説明されているが、本願は、例えば、施錠されたドアを通したアクセス、地下鉄に乗るか、または娯楽の会場の中へ入るための回転ドアを通したアクセス、コンピュータへのアクセス、ＡＴＭまたは小売店での支払端末へのアクセス、本明細書で説明される任意の他の標的認証デバイス６０２へのアクセスを含む、個人がシステムに認証する必要がある他の場合に広く拡張され得る。
【０１０１】
一側面では、認証受信機モジュールは、携帯電話１０２の筐体２０２（図２）の背面の拡張チャンバの内側に位置する。モジュール上の電極接続は、携帯電話筐体２０２の背面で露出された金属ボタンの形態で、２つの電極６１８ａ、６１８ｂに直接配線される。ユーザが、左および右の手から指で電極６１８ａ、６１８ｂに触れるとき、経身体伝導通信モジュール４０２は、摂取可能な事象マーカーシステム１０６から、または電子ピルエミュレータによって生成される類似信号から、相互伝導信号を検出する。一側面では、経身体伝導通信モジュール４０２は、例えば、Ｂｌｕｅｔｏｏｔｈ（登録商標）等の短距離無線接続を介して標的認証デバイス６０２に通信する。標的認証デバイス６０２上で作動するソフトウェアモジュールは、経身体伝導通信モジュール４０２から配信される検出データを監視し、相互伝導信号が受信されたことを示すように、その表示を施錠から認定に切り替える。認証システムでは、相互伝導信号で送信されるペイロードは、所有者にとって安全かつ個人的であるように構成される。受信機は、標的認証デバイス６０２の電子機器の中へ直接配線接続され、受信機と電話との間のＢｌｕｅｔｏｏｔｈ（登録商標）リンクを排除する。
【０１０２】
図９を参照すると、システム２０３０として、反対端に位置付けられた異種金属を伴う摂取可能なデバイス事象インジケータシステムの一側面が示されている。システム２０３０は、上記のように、任意の医薬製品と関連して、患者が医薬製品を服用するときを判定するために、使用することができる。上記で示されるように、本発明の範囲は、環境およびシステム２０３０とともに使用される製品によって限定されない。例えば、システム２０３０は、カプセル内に配置されてもよく、カプセルは、伝導液体内に配置される。次いで、カプセルは、ある期間にわたって溶解し、システム２０３０を伝導液体の中へ放出するであろう。したがって、一側面では、カプセルは、システム２０３０を含有し、いかなる製品も含有しないであろう。次いで、そのようなカプセルは、伝導液体が存在する任意の環境で、任意の製品とともに使用されてもよい。例えば、カプセルは、ジェット燃料、塩水、トマトソース、モータ油、または任意の類似製品で充填されたコンテナの中へ落下させられてもよい。加えて、システム２０３０を含有するカプセルは、製品が服用されたとき等の事象の発生を記録するために、任意の医薬製品が摂取されるのと同時に摂取されてもよい。
【０１０３】
医薬製品と組み合わせられたシステム２０３０の具体的実施例では、製品または錠剤が摂取されると、システム２０３０が起動される。システム２０３０は、検出される一意の電流シグネチャを生成するようにコンダクタンスを制御し、それによって、医薬製品が服用されたことを表す。システム２０３０は、フレームワーク２０３２を含む。フレームワーク２０３２は、システム２０３０のためのシャーシであり、複数の構成要素が、フレームワーク２０３２に取り付けられ、その上に堆積させられ、またはそれに固着される。システム２０３０のこの側面では、可消化材料２０３４が、フレームワーク２０３２と物理的に関連付けられる。材料２０３４は、フレームワーク上に化学的に堆積させられ、その上に蒸発させられ、それに固着され、またはその上に蓄積されてもよく、その全ては、フレームワーク２０３２に関して本明細書では「堆積」と称され得る。材料２０３４は、フレームワーク２０３２の片側に堆積させられる。材料２０３４として使用することができる、目的とする材料は、例えば、ＣｕまたはＣｕｌを含むが、それらに限定されない。材料２０３４は、いくつかのプロトコルの中でも、物理的蒸着、電着、またはプラズマ蒸着によって堆積させられる。材料２０３４は、厚さ約５μｍ〜約１００μｍ等の厚さ約０．０５μｍ〜約５００μｍであってもよい。形状は、シャドウマスク蒸着、またはフォトリソグラフィおよびエッチングによって制御される。加えて、たとえ１つだけの領域が材料を堆積させるために示されていても、各システム２０３０は、材料２０３４が所望に応じて堆積させられ得る、２つまたはそれを上回る電気的に独特の領域を含有してもよい。
【０１０４】
図９に示されるような反対側である、異なる側面では、材料２０３４および２０３６が異種であるように、別の可消化材料２０３６が堆積させられる。示されていないが、選択される異なる側面は、材料２０３４のために選択される側面の隣の側面であってもよい。本発明の範囲は、選択される側面によって限定されず、「異なる側面」という用語は、第１の選択された側面とは異なる複数の側面のうちのいずれかを意味することができる。さらに、たとえ本システムの形状が正方形として示されていても、形状は、任意の幾何学的に好適な形状であってもよい。材料２０３４および２０３６は、システム２０３０が体液等の伝導液体と接触しているときに電圧電位差を生成するように選択される。材料２０３６のための目的とする材料は、Ｍｇ、Ｚｎ、または他の電気陰性金属を含むが、それらに限定されない。材料２０３４に関して上記で示されるように、材料２０３６は、フレームワーク上に化学的に堆積させられ、その上に蒸発させられ、それに固着され、またはその上に蓄積させられてもよい。また、材料２０３６（ならびに必要とされるときは材料２０３４）がフレームワーク２０３２に接着することに役立つために、接着層が必要であり得る。材料２０３６のための典型的な接着層は、Ｔｉ、ＴｉＷ、Ｃｒ、または類似材料であり得る。アノード材料および接着層が、物理的蒸着、電着、またはプラズマ蒸着によって堆積させられてもよい。材料２０３６は、厚さ約５μｍ〜約１００μｍ等の厚さ約０．０５μｍ〜約５００μｍであってもよい。しかしながら、本発明の範囲は、材料のうちのいずれかの厚さによっても、材料をフレームワーク２０３２に堆積させるか、または固着するために使用されるプロセスの種類によっても限定されない。
【０１０５】
したがって、システム２０３０が、伝導流体と接触しているとき、実施例が図１１に示されている、電流経路が、材料２０３４と２０３６との間に伝導液体を通して形成される。制御デバイス２０３８が、フレームワーク２０３２に固着され、材料２０３４および２０３６に電気的に連結される。制御デバイス２０３８は、電子回路、例えば、材料２０３４と２０３６との間のコンダクタンスを制御して変化させることが可能である、制御論理を含む。
【０１０６】
材料２０３４と２０３６との間に生成される電圧電位は、システムを操作するための電力を提供するとともに、伝導流体およびシステムを通る電流を生成する。一側面では、本システムは、直流モードで動作する。代替的な側面では、本システムは、交流電流と同様に、電流の方向が周期的に逆転させられるように、電流の方向を制御する。本システムが伝導流体または電解質に到達すると、流体または電解質成分が、生理学的流体、例えば、胃酸によって提供される場合、材料２０３４と２０３６との間の電流のための経路が、システム２０３０の外部に完成し、システム２０３０を通る電流経路は、制御デバイス２０３８によって制御される。電流経路の完成は、電流が流動することを可能にし、順に、示されていない受信機は、電流の存在を検出し、システム２０３０が起動されており、所望の事象が起こっているか、または起こったことを認識することができる。
【０１０７】
一側面では、２つの材料２０３４および２０３６は、バッテリ等の直流電源のために必要とされる２つの電極と機能が類似する。伝導液体は、電源を完成させるために必要とされる電解質の役割を果たす。説明される完成した電源は、システム２０３０の材料２０３４および２０３６と身体の周辺流体との間の物理的な化学反応によって画定される。完成した電源は、胃液、血液、または他の体液およびいくつかの組織等のイオン性または伝導性溶液中の逆電解を活用する、電源と見なされてもよい。加えて、環境は、身体以外の何かであってもよく、液体は、任意の伝導液体であってもよい。例えば、伝導流体は、塩水または金属系塗料であってもよい。
【０１０８】
ある側面では、２つの材料は、材料の付加的な層によって周辺環境から遮蔽される。したがって、遮蔽が溶解させられ、２つの異種材料が標的部位に暴露されたとき、電圧電気が生成される。
【０１０９】
図９を再度参照すると、材料２０３４および２０３６は、制御デバイス２０３８を起動するように電圧電位を提供する。いったん制御デバイス２０３８が起動されるか、電源を入れられると、制御デバイス２０３８は、独特の様式で材料２０３４と２０３６との間のコンダクタンスを変化させることができる。材料２０３４と２０３６との間のコンダクタンスを変化させることによって、制御デバイス２０３８は、システム２０３０を包囲する伝導液体を通る電流の規模を制御することが可能である。これは、身体の内部または外部に位置付けることができる受信機（図示せず）によって検出および測定することができる、一意の電流シグネチャを生成する。材料の間の電流経路の規模を制御することに加えて、その内容全体が参照することにより本明細書に組み込まれる、２００８年９月２５日に出願された「Ｉｎ−Ｂｏｄｙ  Ｄｅｖｉｃｅ  ｗｉｔｈ  Ｖｉｒｔｕａｌ  Ｄｉｐｏｌｅ  Ｓｉｇｎａｌ  Ａｍｐｌｉｆｉｃａｔｉｏｎ」と題された米国特許出願第１２／２３８，３４５号で開示されるように、電流経路の「長さ」を増加させ、したがって、コンダクタンス経路を高めるように作用するために、非伝導金属、膜、または「スカート」が使用される。代替として、本明細書の本開示の全体を通して、「非伝導金属」、「膜」、および「スカート」という用語は、本明細書の範囲または本側面および請求項に影響を及ぼすことなく、「電流経路拡張器」という用語と同義的に使用される。２０３５および２０３７における部分で示されるスカートは、それぞれ、フレームワーク２０３２と関連付けられ、例えば、それに固着されてもよい。スカートの種々の形状および構成は、本発明の範囲内と見なされる。例えば、システム２０３０は、スカートによって完全または部分的に包囲されてもよく、スカートは、システム２０３０の中心軸に沿って、または中心軸に対して中心を外れて位置付けられてもよい。したがって、本明細書で請求されるような本発明の範囲は、スカートの形状またはサイズによって限定されない。さらに、他の側面では、材料２０３４および２０３６は、材料２０３４と２０３６との間の任意の画定された領域中に位置付けられる、１つのスカートによって分離されてもよい。
【０１１０】
ここで図１０を参照すると、摂取可能なデバイスの別の側面が、システム２０４０としてさらに詳細に示されている。システム２０４０は、フレームワーク２０４２を含む。フレームワーク２０４２は、図９のフレームワーク２０３２に類似する。システム２０４０のこの側面では、可消化または可溶解材料２０４４が、フレームワーク２０４２の片側の一部分上に堆積させられる。フレームワーク２０４２の同一側面の異なる部分では、材料２０４４および２０４６が異種であるように、別の可消化材料２０４６が堆積させられる。より具体的には、材料２０４４および２０４６は、体液等の伝導液体と接触しているときに電圧電位差を形成するように選択される。したがって、システム２０４０が伝導液体と接触している、および／または部分的に接触しているとき、次いで、実施例が図１１に示されている、電流経路が、材料２０４４および２０４６の間に伝導液体を通して形成される。制御デバイス２０４８が、フレームワーク２０４２に固着され、材料２０４４および２０４６に電気的に連結される。制御デバイス２０４８は、材料２０４４および２０４６の間のコンダクタンス経路の一部を制御することが可能である、電子回路を含む。材料２０４４および２０４６は、非伝導スカート２０４９によって分離される。スカート２０４９の種々の実施例が、２００９年４月２８日に出願され、「ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ  ＭＥＴＨＯＤＳ  ＯＦ  ＵＳＩＮＧ  ＳＡＭＥ」と題された米国仮特許出願第６１／１７３，５１１号、２００９年４月２８日に出願され、「ＩＮＧＥＳＴＩＢＬＥ  ＥＶＥＮＴ  ＭＡＲＫＥＲＳ  ＨＡＶＩＮＧ  ＳＩＧＮＡＬ  ＡＭＰＬＩＦＩＥＲＳ  ＴＨＡＴ  ＣＯＭＰＲＩＳＥ  ＡＮ  ＡＣＴＩＶＥ  ＡＧＥＮＴ」と題された米国仮特許出願第６１／１７３，５６４号、ならびに２００８年９月２５日に出願され、２００９−００８２６４５として公開された「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」と題された米国出願第１２／２３８，３４５号で開示され、それぞれの開示全体は、参照することにより本明細書に組み込まれる。
【０１１１】
いったん制御デバイス２０４８が起動されるか、電源を入れられると、制御デバイス２０４８は、材料２０４４と２０４６との間のコンダクタンスを変化させることができる。したがって、制御デバイス２０４８は、システム２０４０を包囲する伝導液体を通る電流の規模を制御することが可能である。システム２０３０に関して上記で示されるように、システム２０４０の起動を標示するように、受信機（図示せず）によって、システム２０４０と関連付けられる一意の電流シグネチャを検出することができる。電流経路の「長さ」を増加させるために、スカート２０４９のサイズが変更される。電流経路が長いほど、受信機が電流を検出することが容易であり得る。
【０１１２】
ここで図１１を参照すると、図９のシステム２０３０が、起動状態で、かつ伝導液体と接触して示されている。システム２０３０は、接地接点２０５２を通して接地させられる。システム２０３０はまた、図１１に関してさらに詳細に説明される、センサモジュール２０７４と、システム２０３０と接触している伝導流体を通る材料２０３４から材料２０３６までのイオンまたは電流経路２０５０とを含む。材料２０３４と２０３６との間に生成される電圧電位は、材料２０３４／２０３６と伝導流体との間の化学反応を通して生成される。
【０１１３】
図１１Ａは、材料２０３４の表面の分解図を示す。材料２０３４の表面は、平面的ではないが、むしろ示されるように不規則な表面２０５４である。不規則な表面２０５４は、材料の表面積、したがって、伝導流体と接触する面積を増加させる。
【０１１４】
一側面では、材料２０３４の表面では、塊が伝導流体の中へ放出されるように、材料２０３４と周辺伝導流体との間の化学反応がある。本明細書で使用されるような「塊」という用語は、物質を形成する陽子および中性子を指す。一実施例は、材料がＣｕＣｌであり、伝導流体と接触しているときに、ＣｕＣｌが溶液中でＣｕ（固体）およびＣｌ−になる、例を含む。伝導流体の中へのイオン流は、イオン経路２０５０によって描写される。同様に、材料２０３６と周辺伝導流体との間の化学反応があり、イオンが材料２０３６によって捕捉される。材料２０３４におけるイオンの放出、および材料２０３６によるイオンの捕捉は、集合的にイオン交換と称される。イオン交換の速度、したがって、イオン放出速度または流れは、制御デバイス２３８によって制御される。制御デバイス２０３８は、材料２０３４と２０３６との間のインピーダンスを変化させる、コンダクタンスを変化させることによって、イオン流の速度を増加または減少させることができる。イオン交換を制御することを通して、システム２０３０は、イオン交換プロセスにおける情報を符号化することができる。したがって、システム２０３０は、イオン交換における情報を符号化するためにイオン放出を使用する。
【０１１５】
制御デバイス２０３８は、周波数が変調され、振幅が一定であるときと同様に、速度または規模をほぼ一定に保ちながら、固定イオン交換速度または電流規模の持続時間を変化させることができる。また、制御デバイス２０３８は、持続時間をほぼ一定に保ちながら、イオン交換速度または電流の規模のレベルを変化させることができる。したがって、持続時間の変化の種々の組み合わせを使用し、速度または規模を変化させて、制御デバイス２０３８は、電流またはイオン交換における情報を符号化する。例えば、制御デバイス２０３８は、以下の技法のうちのいずれか、すなわち、二位相偏移変調（ＰＳＫ）、周波数変調、振幅変調、オン・オフキーイング、およびオン・オフキーイングを伴うＰＳＫを使用してもよいが、それらに限定されない。
【０１１６】
上記で示されるように、それぞれ、図９および１０のシステム２０３０および２０４０等の本明細書で開示される種々の側面は、制御デバイス２０３８または制御デバイス２０４８の一部として電子構成要素を含む。存在し得る構成要素は、論理および／またはメモリ要素、集積回路、インダクタ、抵抗器、および種々のパラメータを測定するためのセンサを含むが、それらに限定されない。各構成要素は、フレームワークに、および／または別の構成要素に固着されてもよい。支持体の表面上の構成要素は、任意の便利な構成でレイアウトされてもよい。２つまたはそれを上回る構成要素が中実支持体の表面上に存在する場合、相互接続が提供されてもよい。
【０１１７】
上記に示されるように、システム２０３０および２０４０等のシステムは、異種材料の間のコンダクタンス、したがって、イオン交換の速度または電流を制御する。特定の様式でコンダクタンスを変化させることを通して、本システムは、イオン交換および電流シグネチャにおける情報を符号化することが可能である。イオン交換または電流シグネチャは、特定のシステムを一意的に識別するために使用される。加えて、システム２０３０および２０４０は、種々の異なる独特の交換またはシグネチャを生成することが可能であり、したがって、付加的な情報を提供する。例えば、第２のコンダクタンス変化パターンに基づく第２の電流シグネチャは、付加的な情報を提供するために使用されてもよく、その情報は、物理的環境に関係付けられてもよい。さらに例証するために、第１の電流シグネチャは、チップ上の発振器を維持する非常に低い電流状態であってもよく、第２の電流シグネチャは、第１の電流シグネチャと関連付けられる電流状態より少なくとも１０倍を上回る電流状態であってもよい。
【０１１８】
ここで図１２を参照すると、制御デバイス２０３８のブロック図表現が示されている。デバイス２０３０は、制御モジュール２０６２と、カウンタまたはクロック２０６４と、メモリ２０６６とを含む。加えて、デバイス２０３８は、センサモジュール２０７２、ならびに図１１で参照されたセンサモジュール２０７４を含むことが示されている。制御モジュール２０６２は、材料２０３４に電気的に連結される入力２０６８、および材料２０３６に電気的に連結される出力２０７０を有する。制御モジュール２０６２、クロック２０６４、メモリ２０６６、およびセンサモジュール２０７２／２０７４はまた、電源入力も有する（いくつかが示されていない）。これらの構成要素のそれぞれのための電力は、システム２０３０が伝導流体と接触しているときに材料２０３４および２０３６と伝導流体との間の化学反応によって生成される、電圧電位によって供給される。制御モジュール２０６２は、システム２０３０の全体的なインピーダンスを変化させる論理を通してコンダクタンスを制御する。制御モジュール２０６２は、クロック２０６４に電気的に連結される。クロック２０６４は、クロックサイクルを制御モジュール２０６２に提供する。制御モジュール２０６２のプログラムされた特性に基づいて、設定数のクロックサイクルが過ぎたとき、制御モジュール２０６２は、材料２０３４と２０３６との間のコンダクタンス特性を変化させる。このサイクルは、繰り返され、それによって、制御デバイス２０３８は、独特の電流シグネチャ特性を生成する。制御モジュール２０６２はまた、メモリ２０６６にも電気的に連結される。クロック２０６４およびメモリ２０６６の両方は、材料２０３４と２０３６との間に生成される電位によって電力供給される。
【０１１９】
制御モジュール２０６２はまた、センサモジュール２０７２および２０７４にも電気的に連結され、それらと通信している。示される側面では、センサモジュール２０７２は、制御デバイス２０３８の一部であり、センサモジュール２０７４は、別個の構成要素である。代替的な側面では、他方を伴わずに、センサモジュール２０７２および２０７４のいずれか一方を使用することができ、本発明の範囲は、センサモジュール２０７２または２０７４の構造的または機能的場所によって限定されない。加えて、請求されるような本発明の範囲を限定することなく、システム２０３０の任意の構成要素が、機能的または構造的に移動させられ、組み合わせられ、または再配置されてもよい。したがって、以下のモジュール、すなわち、制御モジュール２０６２、クロック２０６４、メモリ２０６６、およびセンサモジュール２０７２または２０７４の全ての機能を果たすように設計されている、単一の構造、例えば、プロセッサを有することが可能である。一方で、電気的に結合され、通信することが可能である、独立構造の中に位置する、これらの機能的構成要素のそれぞれを有することも、本発明の範囲内である。
【０１２０】
図１２を再度参照すると、センサモジュール２０７２または２０７４は、以下のセンサのうちのいずれか、すなわち、温度、圧力、ｐＨレベル、および伝導度を含むことができる。一側面では、センサモジュール２０７２または２０７４は、環境から情報を収集し、アナログ情報を制御モジュール２０６２に伝達する。次いで、制御モジュールは、アナログ情報をデジタル情報に変換し、デジタル情報は、電流、またはイオン流を生成する物質移動速度において符号化される。別の側面では、センサモジュール２０７２または２０７４は、環境から情報を収集し、アナログ情報をデジタル情報に変換し、次いで、デジタル情報を制御モジュール２０６２に伝達する。図１１に示される側面では、センサモジュール２０７４は、材料２０３４および２０３６ならびに制御デバイス２０３８に電気的に連結されるものとして示されている。別の側面では、図１２に示されるように、センサモジュール２０７４は、接続２０７８において制御デバイス２０３８に電気的に連結される。接続２０７８は、センサモジュール２０７４への電力供給源、およびセンサモジュール２０７４と制御デバイス２０３８との間の通信チャネルの両方の役割を果たす。
【０１２１】
ここで図１１Ｂを参照すると、システム２０３０は、果たされている特定の種類の感知機能に従って選択される、材料２０３９に接続されたｐＨセンサモジュール２０７６を含む。ｐＨセンサモジュール２０７６はまた、制御デバイス２０３８にも接続される。材料２０３９は、非伝導性障壁２０５５によって材料２０３４から電気的に絶縁される。一側面では、材料２０３９は、白金である。動作時に、ｐＨセンサモジュール２０７６は、材料２０３４／２０３６の間の電位差を使用する。ｐＨセンサモジュール２０７６は、材料２０３４と材料２０３９との間の電位差を測定し、以降の比較のためにその値を記録する。ｐＨセンサモジュール２０７６はまた、材料２０３９と材料２０３６との間の電位差も測定し、以降の比較のためにその値を記録する。ｐＨセンサモジュール２０７６は、電位値を使用して、周辺環境のｐＨレベルを計算する。ｐＨセンサモジュール２０７６は、その情報を制御デバイス２０３８に提供する。制御デバイス２０３８は、受信機（図示せず）によって検出することができる、イオン移動におけるｐＨレベルに関連する情報を符号化するように、イオン移動を生成する物質移動速度、および電流を変化させる。したがって、システム２０３０は、ｐＨレベルに関係する情報を判定し、環境の外部のソースに提供することができる。
【０１２２】
上記で示されるように、制御デバイス２０３８は、所定の電流シグネチャを出力するように事前にプログラムすることができる。別の側面では、本システムは、本システムが起動されるときにプログラミング情報を受信することができる、受信機システムを含むことができる。示されていない別の側面では、スイッチ２０６４およびメモリ２０６６を１つのデバイスに組み込むことができる。
【０１２３】
上記の構成要素に加えて、システム２０３０はまた、１つまたは他の電子構成要素を含んでもよい。目的とする電気構成要素は、例えば、集積回路の形態の付加的な論理および／またはメモリ要素、電力調節デバイス、例えば、バッテリ、燃料電池、またはコンデンサ、センサ、刺激装置等、例えば、アンテナ、電極、コイル等の形態の信号伝送要素、受動要素、例えば、インダクタ、抵抗器等を含むが、それらに限定されない。
【０１２４】
図１３は、本発明の一側面による、受信機がどのようにしてコヒーレント復調プロトコルを実装し得るかという機能ブロック図を提供する。受信機の一部分のみが図１３に示されていることに留意されたい。図１３は、いったん搬送波周波数（および搬送波オフセットまで混合された搬送波信号）が判定されると、信号をベースバンドまで混合するプロセスを図示する。搬送波信号２２２１が、ミキサ２２２３において第２の搬送波信号２２２２と混合させられる。適切な帯域幅の狭低域通過フィルタ２２２０が、境界外雑音の効果を低減させるように適用される。復調が、本発明のコヒーレント復調方式に従って機能ブロック２２２５で起こる。複合信号のアンラップ相２２３０が判定される。計算された搬送波周波数と実際の搬送波周波数との間の周波数差を推定するために位相進化が使用される、随意的な第３のミキサ段階を適用することができる。次いで、ブロック２２４０でＢＰＳＫ信号のコーディング領域の開始を判定するために、パケットの構造が活用される。主に、パケットの開始境界を判定するために、複合復調信号の振幅信号におけるＦＭポーチのように見える、同期ヘッダの存在が使用される。いったんパケットの始点が判定されると、信号は、ブロック２２５０においてＩＱ面および標準ビット識別上で回転させられ、最終的にブロック２２６０において復号される。
【０１２５】
復調に加えて、経身体通信モジュールは、順方向誤差訂正モジュールを含んでもよく、そのモジュールは、他の不要な信号および雑音からの干渉に対抗するように付加的な利得を提供する。目的とする順方向誤差訂正機能モジュールは、その出願の開示が参照することにより本明細書に組み込まれる、ＰＣＴ出願第ＰＣＴ／ＵＳ２００７／０２４２２５号で説明されているものを含む。場合によっては、順方向誤差訂正モジュールは、復号誤差を識別して（境界内で）訂正するために、リード・ソロモン、ゴレイ、ハミング、ＢＣＨ、およびターボプロトコル等の任意の利便的なプロトコルを採用してもよい。
【０１２６】
本発明の受信機はさらに、ビーコン機能性モジュールを採用してもよい。種々の側面では、ビーコン切替モジュールは、ビーコン起動モジュール、ビーコン信号モジュール、波動／周波数モジュール、多重周波数モジュール、および変調信号モジュールのうちの１つまたはそれを上回るものを採用してもよい。
【０１２７】
ビーコン切替モジュールは、ビーコン通信、例えば、ビーコン通信チャネル、ビーコンプロトコル等と関連付けられてもよい。本開示の目的で、ビーコンは、典型的には、メッセージの一部として、またはメッセージを増補するためのいずれかで、送信される信号（本明細書では「ビーコン信号」と称されることもある）である。ビーコンは、周波数等の明確に定義された特性を有してもよい。ビーコンは、雑音が多い環境で容易に検出されてもよく、以下で説明されるように、スニフ回路へのトリガに使用されてもよい。
【０１２８】
一側面では、ビーコン切替モジュールは、起動機能性を有する、ビーコン起動モジュールを備えてもよい。起動機能性は、概して、信号等を受信するため等、特定の目的で、特定の時間、例えば、短期間の間のみ、高電力モードで動作する機能性を備える。システムの受信機部分への十分な配慮として、それは低電力である。この特徴は、小型サイズを提供するとともに、バッテリからの長期機能電気供給を保つために、埋込受信機において有利であり得る。ビーコン切替モジュールは、非常に限定された期間にわたって高電力モードで受信機を動作させることによって、これらの利点を可能にする。この種類の短いデューティサイクルは、最適なシステムサイズおよびエネルギー引き出し特徴を提供することができる。
【０１２９】
実践では、受信機は、例えば、スニフ回路を介して「スニフ機能」を果たすように、周期的に低エネルギー消費量で「起動」してもよい。本願の目的で、「スニフ機能」という用語は、概して、伝送機が存在するかどうかを判定するように、短い低電力機能を指す。伝送機信号がスニフ機能によって検出された場合、本デバイスは、高電力通信復号モードに移行してもよい。伝送機信号が存在しない場合、受信機は、スリープモードに戻って、例えば、即時に戻ってもよい。このようにして、エネルギーが、伝送機信号が存在しない比較的長い期間中に節約される一方で、高電力能力は、伝送信号が存在する比較的少ない期間中に効率的な復号モード動作のために利用可能なままである。いくつかのモードおよびそれらの組み合わせが、スニフ回路を操作するために利用可能であり得る。特定のシステムの必要性をスニフ回路構成に合致させることによって、最適化されたシステムが達成されてもよい。
【０１３０】
ビーコンモジュールの別の図が、図１４に示される機能ブロック図で提供されている。図１４で概説される方式は、有効なビーコンを識別するための１つの技法を概説する。着信信号２３６０は、電極によって受信され、（搬送波周波数を包含する）高周波数信号伝達連鎖によって（１０ＫＨｚ〜３４ＫＨｚ等の）帯域通過フィルタにかけられ、アナログからデジタルに変換される、信号を表す。次いで、信号２３６０は、ブロック２３６１でデシメートされ、ミキサ２３６２において公称駆動周波数（１２．５ＫＨｚ、２０ＫＨｚ等）で混合させられる。結果として生じる信号は、ブロック２３６４でデシメートされ、搬送波オフセットまで混合された搬送波信号、すなわち、信号２３６９を生成するように、ブロック２３６５で（５ＫＨｚ  ＢＷ等の）低域通過フィルタにかけられる。信号２３６９はさらに、真の搬送波周波数信号２３６８を提供するように、ブロック２３６７（高速フーリエ変換、次いで、２つの最も強いピークの検出）によって処理される。このプロトコルは、伝送されたビーコンの搬送波周波数の正確な判定を可能にする。
【０１３１】
図１５は、本発明の一側面による、信号受信機の集積回路構成要素のブロック機能図を提供する。図１５では、受信機２７００は、電極入力２７１０を含む。電極入力２７１０には、経身体伝導通信モジュール２７２０および生理学的感知モジュール２７３０が電気的に連結される。一側面では、経身体伝導通信モジュール２７２０は、高周波数（ＨＦ）信号連鎖として実装され、生理学的感知モジュール２７３０は、低周波数（ＬＦ）信号号連鎖として実装される。また、（周囲温度を検出するための）ＣＭＯＳ温度感知モジュール２７４０および３軸加速度計２７５０も示されている。受信機２７００はまた、処理エンジン２７６０（例えば、マイクロコントローラおよびデジタル信号プロセッサ）と、（データ記憶のための）不揮発性メモリ２７７０と、（例えば、データアップロード動作における別のデバイスへのデータ伝送のための）無線通信モジュール２７８０とを含む。
【０１３２】
図１６は、本発明の一側面による、図１５で描写される受信機のブロック機能図を実装するように構成される回路のより詳細なブロック図を提供する。図１６では、受信機８００は、例えば、ＩＥＭによって伝導的に伝送された信号を受信し、および／または目的とする生理学的パラメータまたはバイオマーカーを感知する、電極ｅ１、ｅ２、およびｅ３（２８１１、２８１２、および２８１３）を含む。電極２８１１、２８１２、および２８１３によって受信される信号は、電極に電気的に連結される、マルチプレクサ８２０によって多重化される。
【０１３３】
マルチプレクサ２８２０は、高域通過フィルタ２８３０および低域通過フィルタ２８４０の両方に電気的に連結される。高および低周波数信号連鎖は、所望のレベルまたは範囲を網羅するようにプログラム可能な利得を提供する。この具体的側面では、高域通過フィルタ２８３０は、帯域外周波数から雑音を除外しながら、１０ＫＨｚ〜３４ＫＨｚ帯域内の周波数を通過させる。この高周波数帯域は、変動し得、例えば、３ＫＨｚ〜３００ＫＨｚの範囲を含んでもよい。次いで、通過周波数は、高周波数信号連鎖に電気的に連結される（ＤＳＰとして示される）高電力プロセッサ２８８０に入力するために、変換器２８３４によってデジタル信号に変換される前に、増幅器２８３２によって増幅される。
【０１３４】
低域通過フィルタ２８４０は、帯域外周波数から雑音を除外しながら、０．５Ｈｚ〜１５０Ｈｚの範囲内のより低い周波数を通過させて示されている。周波数帯域は、変動し得、例えば、１５０Ｈｚ未満を含む、２００Ｈｚ未満等の３００Ｈｚ未満の周波数を含んでもよい。通過周波数信号は、増幅器８４２によって増幅される。また、第２のマルチプレクサ２８６０に電気的に連結される加速度計８５０も示されている。マルチプレクサ２８６０は、増幅器２８４２からの増幅された信号で加速度計からの信号を多重化する。次いで、多重化された信号は、同様に低電力プロセッサ２８７０に電気的に連結される変換器８６４によってデジタル信号に変換される。
【０１３５】
一側面では、デジタル加速度計（アナログデバイスによって製造されるもの等）が、加速度計２８５０の代わりに実装されてもよい。デジタル加速度計を使用することによって、種々の利点が達成されてもよい。例えば、デジタル加速度計が生成するであろう信号が、すでにデジタル形式である信号であるため、デジタル加速度計は、変換器２８６４を迂回し、低電力マイクロコントローラ２８７０に電気的に連結することができ、その場合、マルチプレクサ２８６０がもはや必要とされないであろう。また、デジタル信号は、運動を検出するときにオンになり、さらに電力を節約するように構成されてもよい。加えて、連続段階計数が実装されてもよい。デジタル加速度計は、低電力プロセッサ２８７０に送信されるデータ流を制御することに役立つように、ＦＩＦＯバッファを含んでもよい。例えば、データは、満杯になるまでＦＩＦＯにバッファ格納されてもよく、そのときに、プロセッサは、アイドル状態から起動させられ、データを受信するようにトリガされてもよい。
【０１３６】
低電力プロセッサ２８７０は、例えば、Ｔｅｘａｓ  ＩｎｓｔｒｕｍｅｎｔｓからのＭＳＰ４３０マイクロコントローラであってもよい。受信機２８００の低電力プロセッサ２８７０は、前述のように、例えば、１０μＡまたはそれを下回る、あるいは１μＡまたはそれを下回る、最小限の電流引き込みを必要とする、アイドル状態を維持する。
【０１３７】
高電力プロセッサ２８８０は、例えば、Ｔｅｘａｓ  ＩｎｓｔｒｕｍｅｎｔｓからのＶＣ５５０９デジタル信号プロセッサであってもよい。高電力プロセッサ２８８０は、アクティブ状態中に信号処理動作を行う。これらの動作は、前述のように、アイドル状態より大量の電流、例えば、５０μＡまたはそれを上回る電流等の３０μＡまたはそれを上回る電流を必要とし、例えば、伝導的に伝送された信号を走査すること、受信されたときに伝導的に伝送された信号を処理すること、生理学的データを取得および／または処理すること等の動作を含んでもよい。
【０１３８】
受信機は、データ信号を処理するように、ハードウェア加速器モジュールを含んでもよい。ハードウェア加速器モジュールは、例えば、ＤＳＰの代わりに実装されてもよい。より特殊な計算ユニットであるため、これは、より汎用のＤＳＰと比較して、より少ないトランジスタ（より少ない費用および電力）を用いて信号処理アルゴリズムの側面を実施する。ハードウェアのブロックは、重要な特定の関数の実施を「加速する」ために使用されてもよい。ハードウェア加速器のいくつかのアーキテクチャは、マイクロコードまたはＶＬＩＷアセンブリを介して「プログラム可能」であり得る。使用の過程で、それらの関数は、関数ライブラリへの呼び出しによってアクセスされてもよい。
【０１３９】
ハードウェア加速器（ＨＷＡ）モジュールは、処理される入力信号、および入力信号を処理するための命令を受信する、ＨＷＡ入力ブロックと、受信した命令に従って入力信号を処理し、結果として生じる出力信号を生成する、ＨＷＡ処理ブロックとを備える。結果として生じる出力信号は、ＨＷＡ出力ブロックによって必要に応じて伝送されてもよい。
【０１４０】
また、図１６には、高電力プロセッサ２８８０に電気的に連結されたフラッシュメモリ２８９０も示されている。一側面では、フラッシュメモリ２８９０は、より良好な電力効率を提供し得る、低電力プロセッサ２８７０に電気的に連結されてもよい。
【０１４１】
無線通信要素２８９５が、高電力プロセッサ２８８０に電気的に連結されて示され、例えば、ＢＬＵＥＴＯＯＴＨ（登録商標）無線通信送受信機を含んでもよい。一側面では、無線通信要素２８９５は、高電力プロセッサ２８８０に電気的に連結される。別の側面では、無線通信要素２８９５は、高電力プロセッサ２８８０および低電力プロセッサ２８７０に電気的に連結される。さらに、無線通信要素２８９５は、例えば、マイクロプロセッサによって、受信機の他の構成要素から独立してオンおよびオフにされ得るように、各自の電力供給部を有するように実装されてもよい。
【０１４２】
図１７は、高周波数信号連鎖に関係付けられる本発明の側面による、受信機内のハードウェアのブロック図の図を提供する。図１７では、受信機２９００は、マルチプレクサ２９２０に電気的に連結された（例えば、電極２９１１、２９１２、および２９１３の形態の）受信機プローブを含む。また、任意の帯域外周波数を排除する帯域通過フィルタを提供する、高域通過フィルタ２９３０および低域通過フィルタ２９４０も示されている。示される側面では、１０ＫＨｚ〜３４ＫＨｚの帯域通過が、周波数帯内に入る搬送波信号を通過させるために提供される。例示的な搬送波周波数は、１２．５ＫＨｚおよび２０ＫＨｚを含むが、それらに限定されない。１つまたはそれを上回る搬送波が存在してもよい。加えて、受信機２９００は、例えば、５００ＫＨｚでサンプリングするアナログ・デジタル変換器２９５０を含む。その後、デジタル信号をＤＳＰによって処理することができる。この側面では、デジタル信号をＤＳＰのための専用メモリに送信するＤＭＡ／ＤＳＰユニット９６０が示されている。直接メモリアクセスは、ＤＳＰの他の部分が低電力モードにとどまることを可能にするという利点を提供する。
【０１４３】
（種々の状態のための例示的構成）
前述のように、各受信機状態について、したがって、高電力機能ブロックがアクティブおよび非アクティブ状態の間で循環させられてもよい。また、各受信機について、受信機の種々の受信機要素（回路ブロック、プロセッサ内の電力ドメイン等）は、電力供給モジュールによって、独立してオンからオフに循環するように構成されてもよい。したがって、受信機は、電力効率を達成するように、各状態のための異なる構成を有してもよい。
【０１４４】
ある側面では、受信機は、次いで、出力として患者等の生体についての状況的データを提供することができる、外部プロセッサ等のプロセッサによって最終的に収集および処理される種々の異なるタイプの情報を提供する、内部および／または外部にあり得る、センサ、信号受信機、および随意に他のデバイス等の身体関連システムまたはデバイスのネットワークの一部である。例えば、受信機は、ＩＥＭ摂取についてのデータ、１つまたはそれを上回る生理学的感知パラメータ、埋込型デバイス動作等を含む出力を、データの外部コレクタに提供することができる、デバイスの体内ネットワークの要素であってもよい。次いで、例えば、医療ネットワークサーバ等の形態のデータの外部コレクタは、この受信機が提供したデータを、患者についての付加的な関連データ、例えば、体重、天気、医療記録データ等と組み合わせ、高度に特異的かつ状況的な患者特有のデータを提供するように、この異種データを処理してもよい。
【０１４５】
本発明のシステムは、ある側面では、受信機の信号受信機側面と、１つまたはそれを上回るＩＥＭとを含む。目的とするＩＥＭは、第ＷＯ／２００６／１１６７１８号として公開されたＰＣＴ出願第ＰＣＴ／ＵＳ２００６／０１６３７０号、第ＷＯ／２００８／０５２１３６号として公開されたＰＣＴ出願第ＰＣＴ／ＵＳ２００７／０８２５６３号、第ＷＯ／２００８／０６３６２６号として公開されたＰＣＴ出願第ＰＣＴ／ＵＳ２００７／０２４２２５号、第ＷＯ／２００８／０６６６１７号として公開されたＰＣＴ出願第ＰＣＴ／ＵＳ２００７／０２２２５７号、第ＷＯ／２００８／０９５１８３号として公開されたＰＣＴ出願第ＰＣＴ／ＵＳ２００８／０５２８４５号、第ＷＯ／２００８／１０１１０７号として公開されたＰＣＴ出願第ＰＣＴ／ＵＳ２００８／０５３９９９号、第ＷＯ／２００８／１１２５７７号として公開されたＰＣＴ出願第ＰＣＴ／ＵＳ２００８／０５６２９６号、第ＷＯ／２００８／１１２５７８号として公開されたＰＣＴ出願第ＰＣＴ／ＵＳ２００８／０５６２９９号、および第ＷＯ  ２００９／０４２８１２号として公開されたＰＣＴ出願第ＰＣＴ／ＵＳ２００８／０７７７５３号で説明されるものを含み、それらの出願の開示は、参照することにより本明細書に組み込まれる。
【０１４６】
ある側面では、本システムは、受信機とは明確に異なる外部デバイス（ある側面では埋め込まれるか、局所的に適用され得る）を含み、この外部デバイスは、いくつかの機能性を提供する。そのような外部デバイスは、フィードバックおよび適切な臨床規制を患者に提供する能力を含むことができる。そのようなデバイスは、いくつかの形態のうちのいずれかを成すことができる。例えば、本デバイスは、患者の隣のベッドの上、例えば、ベッドサイドモニタに位置するように構成することができる。他の形式は、ＰＤＡ、スマートフォン、ホームコンピュータ等を含むが、それらに限定されない。
【０１４７】
本発明のシステムの実施例が、図１８Ａに示されている。図１８Ａでは、システム１５００は、ＩＥＭを備える医薬組成物１５１０を含む。また、システム１５００では、図１０−１２で図示される信号受信機等の信号受信機１５２０も存在する。信号受信機１５２０は、ＩＥＭ１５１０の識別子から発せられる信号を検出するように構成される。信号受信機１５２０はまた、ＥＣＧおよび移動感知能力等の生理学的感知能力も含む。信号受信機１５２０は、順に、データをサーバ１５４０に伝送する、患者の外部デバイスまたはＰＤＡ１５３０（スマートフォンまたは他の無線通信使用可能デバイス等）にデータを伝送するように構成される。サーバ１５４０は、例えば、患者指向許可を提供するように、所望に応じて構成されてもよい。例えば、サーバ１５４０は、例えば、家族介護者１５５０がサーバ１５４０によって生成される警告および動向を監視し、矢印１５６０によって示されるように支援を患者に提供することを可能にする、インターフェース（ウェブインターフェース等）を介して、家族介護者１５５０が患者の治療計画に参加することを可能にするように構成されてもよい。サーバ１５４０はまた、ＰＤＡ１５３０を介して患者に中継される、例えば、矢印１５６５によって示されるような、例えば、患者警告、患者動機の形態で、応答を患者に直接提供するように構成されてもよい。サーバ１５４０はまた、患者健康およびコンプライアンスの尺度、例えば、健康指数要約、警告、患者間ベンチマーク等を取得し、矢印１５８０によって示されるように、情報に基づく臨床通信および支援を患者に提供するために、データ処理アルゴリズムを使用することができる、医療専門家（例えば、ＲＮ、医師）１５５５と相互作用してもよい。
【０１４８】
本発明のシステムの別の実施例が、図１８Ｂに示されている。図１８Ｂは、シリンジ１５１０７と、受信機１５１０５と、血糖測定器１５１１０と、無線通信ユニット１５１１５と、通信リンク１５１５０Ｂ−Ｅと、投与量マネージャ１５１６０とを含む、システムを描写する。本システムは、概して、シリンジ１５１０７による投与量の送達（例えば、皮下針挿入または静脈内アクセスデバイスを伴うルアー接続）を制御するための知的機構を提供する。この制御は、例えば、シリンジ１５１０７が患者に近接していることを検出すること、シリンジ１５１０７によって投与される投薬量を測定すること、測定情報を受信機１５１０５、血糖測定器１５１１０、無線デバイス１５１１５、および／または投与量マネージャ１５１６０等の他のデバイスに伝達すること、およびフィードバック情報をこれらのデバイスのうちの１つまたはそれを上回るものに提供することを含んでもよい。いくつかの実装では、フィードバック情報は、例えば、投与量を与えることを防止するためにシリンジ１５１０７で連動装置を使用して、患者への投与量の投与を防止してもよい。シリンジ１５１０７は、フィードバックに基づいて、投与量が患者に投与されるものではないことを示すように、視覚指示（例えば、発光ダイオード（ＬＥＤ））または聴覚信号を出力してもよい。例えば、シリンジ１５１０７における連動機構、ＬＥＤ、および／または音は、患者が誤ったタイプの薬剤を受容している、誤った時間に投与量を受容している、および／または誤った量の薬剤を受容していることを信号伝達してもよい。
【０１４９】
いくつかの実装では、シリンジ１５１０７は、投与量マネージャ１５１６０が、シリンジ１５１０７を開錠して作用物質または薬剤の投与を可能にするようにフィードバック情報を提供するまで、投与量の投与を防止するように、デフォルト状態として連動モードで構成されてもよい。
【０１５０】
また、シリンジ１５１０７は、いくつかの実施形態では、投与量を表す測定情報を提供するように、測定機構を含んでもよい。このような場合であるとき、測定情報は、いつおよび／またはどれだけの投与量が患者に提供されるかを制御するために、血圧、血糖値、心拍数、摂取可能な事象マーカー（ＩＥＭ）データ等の他の患者情報とともに、投与量マネージャ１６０によって使用されてもよい。さらに、シリンジ１５１０７は、シリンジ１５１０７が患者の身体に近接している（例えば、身体に進入する、または身体に近い）ときに（測定された情報を提供する）測定機構を起動してもよく、そのときに、測定情報、およびシリンジ１５１０７と関連付けられる識別子、患者識別子等の他の情報が、信号によって、投与量マネージャ１５１６０に通信するために、受信機１５１０５、血糖測定器１５１１０、および／または無線デバイス１５１１５等の他のデバイスに搬送される。また、これらの他のデバイスは、投与量がシリンジ１５１０７によって投与される時間を監視してもよい。したがって、投与量マネージャ１５１６０は、ユーザが提供した投与量の投与時間に依拠するよりむしろ、投与量が投与される正確な時間を受容してもよい。したがって、本システムは、シリンジ１５１０７等の非経口流体送達デバイスと患者との間の特定の流体移送事象を評価するために使用されてもよい。
【０１５１】
種々の詳細が、前述の説明に記載されたが、個人認証装置、システム、および方法の種々の側面は、これらの具体的詳細を伴わずに実践されてもよいことを理解されるであろう。例えば、簡潔および明確にするために、選択される側面は、詳細にではなく、ブロック図形態で示されている。本明細書に提供される発明を実施するための形態のいくつかの部分は、コンピュータメモリ内に記憶されるデータに作用する命令の観点から提示されてもよい。そのような説明および表現は、その研究の内容を他の当業者に説明および伝達するために、当業者によって使用される。一般に、アルゴリズムは、所望の結果につながるステップの自己無撞着シーケンスを指し、「ステップ」は、必ずしもである必要はないが、記憶、転送、組み合わせ、比較、および別様に操作されることが可能な電気または磁気信号の形態を取り付けられ得る、物理的量の操作を指す。これらの信号をビット、値、要素、記号、文字、項、数字、または同等物として言及することが一般的使用である。これらおよび類似用語は、適切な物理的量と関連付けられてもよく、単に、これらの量に適用される便宜的標識である。
【０１５２】
前述の議論から明白であるように、具体的に別様に述べられない限り、前述の説明全体を通して、「処理する」または「コンピューティングする」または「計算する」または「判定する」または「表示する」または同等物等の用語を使用した議論は、コンピュータシステムのレジスタおよびメモリ内の物理的（電子）量として表されるデータを操作し、コンピュータシステムメモリまたはレジスタあるいは他のそのような情報記憶、伝送、またはディスプレイデバイス内の物理的量として同様に表される他のデータに変換する、コンピュータシステムまたは類似電子コンピューティングデバイスのアクションおよびプロセスを指すことを理解されたい。
【０１５３】
「一側面」、「ある側面」、「一実施形態」、または「ある実施形態」のいずれかの言及は、その側面に関連して説明される特定の特徴、構造、または特性が、少なくとも１つの側面内に含まれることを意味することは、特筆に値する。したがって、明細書全体を通して、種々の場所における語句「一側面では」、「ある側面では」、「一実施形態では」、または「ある実施形態では」の表出は、必ずしも全て、同一の側面を参照するわけではない。さらに、特定の特徴、構造、または特性は、１つまたはそれを上回る側面において、任意の好適な様式で組み合わせられてもよい。
【０１５４】
いくつかの側面が、その派生形とともに、「連結される」および「接続される」という表現に従って説明され得る。これらの用語は、相互に同義語として意図されるものではないことを理解されたい。例えば、いくつかの側面は、２つまたはそれを上回る要素が、直接、相互に物理的または電気的に接触することを示すために、用語「接続される」を使用して説明され得る。別の実施例では、いくつかの側面は、２つまたはそれを上回る要素が、直接、物理的または電気的に接触することを示すために、用語「連結される」を使用して説明され得る。しかしながら、用語「連結される」はまた、２つまたはそれを上回る要素が、直接、相互に接触しないが、依然として、相互に協働または相互作用することも意味し得る。
【０１５５】
「一側面」、「ある側面」、「一実施形態」、または「ある実施形態」のいずれかの言及は、その側面に関連して説明される特定の特徴、構造、または特性が、少なくとも１つの側面内に含まれることを意味することは、特筆に値する。したがって、明細書全体を通して、種々の場所における語句「一側面では」、「ある側面では」、「一実施形態では」、または「ある実施形態では」の表出は、必ずしも全て、同一の側面を参照するわけではない。さらに、特定の特徴、構造、または特性は、１つまたはそれを上回る側面において、任意の好適な様式で組み合わせられてもよい。
【０１５６】
種々の実施形態が、本明細書に説明されたが、それらの実施形態に対する多くの修正、変形例、代用、変更、および均等物が、実装されてもよく、当業者に想起されるであろう。また、ある材料が、ある構成要素に関して開示される場合、他の材料が使用されてもよい。したがって、前述の説明および添付の請求項は、開示される実施形態の範囲内にある全てのそのような修正および変形例を網羅することが意図されることを理解されたい。添付の請求項は、全てのそのような修正および変形例を網羅することが意図される。
【０１５７】
一般的な意味で、当業者であれば、広範囲のハードウェア、ソフトウェア、ファームウェア、またはそれらの任意の組み合わせによって、個別および／または集合的に実装することができる、本明細書で説明される種々の側面は、種々のタイプの「電気回路」から成ると見なされ得ることを認識するであろう。その結果、本明細書で使用されるように、「電気回路」は、限定ではないが、少なくとも１つの離散電気回路を有する電気回路、少なくとも１つの集積回路を有する電気回路、少なくとも１つの特定用途向け集積回路を有する電気回路、コンピュータプログラム（例えば、少なくとも部分的に、本明細書に説明されるプロセスおよび／またはデバイスを実施する、コンピュータ命令によって構成される、汎用用途向けコンピュータ、あるいは少なくとも部分的に、本明細書に説明されるプロセスおよび／またはデバイスを実施する、コンピュータプログラムによって構成されるマイクロプロセッサ）によって構成される、汎用コンピューティングデバイスを形成する電気回路、メモリデバイス（例えば、ランダムアクセスメモリの形態）を形成する電気回路、および／または通信デバイス（例えば、モデム、通信スイッチ、または光電気機器）を形成する電気回路を含む。当業者は、本明細書に説明される主題が、アナログまたはデジタル方式あるいはいくつかのそれらの組み合わせにおいて実装されてもよいことを認識するであろう。
【０１５８】
前述の発明を実施するための形態は、ブロック図、フローチャート、および／または実施例の使用を介して、デバイスおよび／またはプロセスの種々の実施形態を記載している。そのようなブロック図、フローチャート、および／または実施例が、１つまたはそれを上回る機能および／または動作を含有する限り、そのようなブロック図、フローチャート、または実施例内の各機能および／または動作は、個々に、および／または集合的に、広範囲のハードウェア、ソフトウェア、ファームウェア、または事実上任意のそれらの組み合わせによって実装されることができることが、当業者によって理解されるであろう。一実施形態では、本明細書に説明される主題のいくつかの部分は、特定用途向け集積回路（ＡＳＩＣ）、フィールドプログラマブルゲートアレイ（ＦＰＧＡ）、デジタル信号プロセッサ（ＤＳＰ）、または他の統合フォーマットを介して実装されてもよい。しかしながら、当業者は、本明細書に開示される実施形態のいくつかの側面が、全体的または部分的に、１つまたはそれを上回るコンピュータ上で稼働する１つまたはそれを上回るコンピュータプログラムとして（例えば、１つまたはそれを上回るコンピュータシステム上で稼働する１つまたはそれを上回るプログラムとして）、１つまたはそれを上回るプロセッサ上で稼働する１つまたはそれを上回るプログラムとして（例えば、１つまたはそれを上回るマイクロプロセッサ上で稼働する１つまたはそれを上回るプログラムとして）、ファームウェアとして、または事実上任意のそれらの組み合わせとして、集積回路内に同等に実装されることができ、回路の設計および／またはソフトウェアおよび／またはファームウェアのためのコードの書込が、本開示に照らして、当業者の技術範囲内であろうことを認識するであろう。加えて、当業者は、本明細書に説明される主題の機構が、種々の形態において、プログラム製品として配布可能であって、本明細書に説明される主題の例証的実施形態が、実際に配布を実施するために使用される特定のタイプの信号搬送媒体にかかわらず、適用されることを理解するであろう。信号搬送媒体の実施例として、限定ではないが、フロッピー（登録商標）ディスク、ハードディスクドライブ、コンパクトディスク（ＣＤ）、デジタルビデオディスク（ＤＶＤ）、デジタルテープ、コンピュータメモリ等の記録可能タイプの媒体と、デジタルおよび／またはアナログ通信媒体（例えば、光ファイバケーブル、導波管、有線通信リンク、無線通信リンク（例えば、送信機、受信機、伝送論理、受信論理等）等の伝送タイプの媒体とが挙げられる。
【０１５９】
本明細書で参照される、および／または任意の出願データシートあるいは任意の他の開示資料に記載される、上記の米国特許、米国特許出願公開、米国特許出願、外国特許、外国特許出願、非特許出版物は、本明細書と矛盾しない程度に、参照することにより本明細書に組み込まれる。したがって、必要な程度に、本明細書で明示的に記載されるような開示は、参照することにより本明細書に組み込まれる、任意の相反する資料に優先する。参照することにより本明細書に組み込まれると言われるが、既存の定義、記述、または本明細書に記載される他の開示資料と矛盾する、任意の資料またはその一部分は、その組み込まれた資料と既存の開示資料との間に生じる矛盾がない程度に組み込まれるにすぎないであろう。
【０１６０】
当業者は、本明細書に説明される構成要素（例えば、動作）、デバイス、オブジェクト、およびそれらに付随の議論が、概念上明確にするために、実施例として使用され、種々の構成修正が検討されることを認識するであろう。その結果、本明細書で使用されるように、記載される具体的典型および付随の議論は、そのより一般的種類の代表であることが意図される。一般に、任意の具体的典型の使用は、その種類の代表であることが意図され、具体的構成要素（例えば、動作）、デバイス、およびオブジェクトの非含有は、限定として見なされるべきではない。
【０１６１】
本明細書における実質的に任意の複数形および／または単数形用語の使用に関して、当業者は、文脈および／または用途に応じて、複数形から単数形および／または単数形から複数形に変換することができる。種々の単数形／複数形の順列は、明確にするために、本明細書に明示的に記載されない。
【０１６２】
本明細書で説明された主題は、異なる他の構成要素内に含有される、またはそれらと接続される、異なる構成要素を図示することもある。そのような描写されたアーキテクチャは例示的にすぎず、実際には、同一の機能性を達成する、多くの他のアーキテクチャを実装し得ることを理解されたい。概念的な意味で、所望の機能性が達成されるように、同一の機能性を達成するための構成要素の任意の配列が、効果的に「関連付けられる」。したがって、アーキテクチャまたは中間構成要素にかかわらず、所望の機能性が達成されるように、特定の機能性を達成するように組み合わせられる、本明細書の任意の２つの構成要素は、相互と「関連付けられる」と見なすことができる。同様に、そのように関連付けられる任意の２つの構成要素はまた、所望の機能性を達成するように、相互に「動作可能に接続される」または「動作可能に連結される」と見なすこともでき、そのように関連付けられることが可能な任意の２つの構成要素はまた、所望の機能性を達成するように、相互に「動作可能に連結可能である」と見なすこともできる。動作可能に連結可能なものの具体的実施例は、物理的に噛合可能な、および／または物理的に相互作用する構成要素、および／または無線で相互作用可能な、および／または無線で相互作用する構成要素、および／または論理的に相互作用する、および／または論理的に相互作用可能な構成要素を含むが、それらに限定されない。
【０１６３】
いくつかの事例では、１つまたはそれを上回る構成要素が、本明細書では、「構成される」、「構成可能である」、「動作可能／動作する」、「適応される／適応可能である」、「可能である」、「確認可能／確認される」等と言及され得る。当業者は、「構成される」とは、文脈と矛盾しない限り、概して、アクティブ状態構成要素および／または非アクティブ状態構成要素および／またはスタンバイ状態構成要素を包含し得ることを認識するであろう。
【０１６４】
本明細書に説明される本主題の特定の側面が、図示および説明されたが、本明細書の教示に基づいて、変更および修正が、本明細書に説明される主題およびそのより広範な側面から逸脱することなく行われてもよく、したがって、添付の請求項は、その範囲内に、全てのそのような変更および修正を包含し、本明細書に説明される主題の真の精神および範囲内にあることが、当業者に明白となるであろう。一般に、本明細書で、特に、添付の請求項（例えば、添付の請求項の本文）で使用される用語は、概して、「非制約的な」用語として意図されていることが、当業者によって理解されるであろう（例えば、「〜を含む」という用語は、「〜を含むが、それらに限定されない」として解釈されるべきであり、「〜を有する」という用語は、「少なくとも〜を有する」として解釈されるべきであり、「含む」という用語は、「含むが、それらに限定されない」として解釈されるべきである、等）。さらに、特定の番号の導入された請求項の記載が意図される場合、そのような意図は、請求項で明示的に記載され、そのような記載がない場合、そのような意図は存在しないことが、当業者によって理解されるであろう。例えば、理解の補助として、以下の添付の請求項は、請求項の記載を導入するように、「少なくとも１つの」および「１つまたはそれを上回る」という導入語句の使用を含有してもよい。しかしながら、そのような語句の使用は、たとえ同一の請求項が、「１つまたはそれを上回る」または「少なくとも１つの」という導入語句、および「１つの」（「ａ」または「ａｎ」）等の不定冠詞を含むときでさえも、「１つの」（「ａ」または「ａｎ」）という不定冠詞による請求項の記載の導入は、そのような導入された請求項の記載を含有する任意の特定の請求項を、１つだけのそのような記載を含有する請求項に限定すると示唆するように解釈されるべきではない（例えば、「１つの」（「ａ」および／または「ａｎ」）は、典型的には、「少なくとも１つの」または「１つまたはそれを上回る」）を意味するように解釈されるべきである）。同じことが、請求項の記載を導入するために使用される定冠詞の使用に当てはまる。
【０１６５】
加えて、たとえ特定の番号の導入された請求項の記載が明示的に記載されたとしても、当業者であれば、そのような記載は、典型的には、少なくとも記載された番号を意味すると解釈されるべきであると認識するであろう（例えば、他の修飾語がない「２つの記載」という最低限の記載は、典型的には、少なくとも２つの記載、あるいは２つまたはそれを上回る記載を意味する）。さらに、「Ａ、Ｂ、およびＣ等のうちの少なくとも１つ」に類似する慣例が使用される場合において、一般に、当業者であれば慣例を理解するであろうという意味で、そのような構造が意図される（例えば、「Ａ、Ｂ、およびＣのうちの少なくとも１つを有するシステム」は、Ａのみ、Ｂのみ、Ｃのみ、ＡおよびＢ両方、ＡおよびＣ両方、ＢおよびＣ両方、および／またはともにＡ、Ｂ、およびＣ全て等を有する、システムを含むが、それらに限定されないであろう）。「Ａ、Ｂ、およびＣ等のうちの少なくとも１つ」に類似する慣例が使用される場合において、一般に、当業者であれば慣例を理解するであろうという意味で、そのような構造が意図される（例えば、「Ａ、Ｂ、およびＣのうちの少なくとも１つを有するシステム」は、Ａのみ、Ｂのみ、Ｃのみ、ＡおよびＢ両方、ＡおよびＣ両方、ＢおよびＣ両方、および／またはＡ、Ｂ、およびＣ全て等を有する、システムを含むが、それらに限定されないであろう）。さらに、説明、請求項、または図面の中にかかわらず、２つまたはそれを上回る代替的な用語を提示する、典型的には、あらゆる離接語および／または語句は、文脈と矛盾しない限り、該用語のうちの１つ、該用語のいずれか一方、または両方の用語を含む可能性を考慮すると理解されるべきであると、当業者によって理解されるであろう。例えば、「ＡまたはＢ」という語句は、典型的には、「ＡまたはＢ」あるいは「ＡおよびＢ」の可能性を含むと理解されるであろう。
【０１６６】
添付の請求項に関して、当業者は、その中に列挙される動作が、概して、任意の順序で行われてもよいことを理解するであろう。また、種々の動作フローが、シーケンスとして提示されるが、種々の動作は、図示されるもの以外の他の順序で行われてもよく、または並行して行われてもよいことを理解されたい。そのような代替順序の実施例として、文脈と矛盾しない限り、重複、割込、中断、並べ替え、増分、予備、補足、同時、反転、または他の変形順序が挙げられ得る。さらに、「〜に応答して」、「〜に関連する」、または他の過去形の時制の形容詞のような用語は、文脈と矛盾しない限り、概して、そのような変形を除外することを意図するものではない。
【０１６７】
ある場合には、システムまたは方法の使用は、構成要素が、ある領域外に位置する場合でも、その領域内で生じ得る。例えば、分散型コンピューティングの状況では、分散型コンピューティングシステムの使用は、システムの一部が、ある領域外に位置し得る場合でも（例えば、領域外に位置する、リレー、サーバ、プロセッサ、信号搬送媒体、伝送コンピュータ、受信コンピュータ等）、その領域内で生じ得る。
【０１６８】
システムまたは方法の販売も同様に、そのシステムまたは方法の構成要素が、ある領域外に位置する、および／または使用される場合でも、その領域内で生じ得る。さらに、ある領域内である方法を行うためのシステムの少なくとも一部の実装は、別の領域内におけるシステムの使用を除外するものではない。
【０１６９】
種々の実施形態が本明細書で説明されているが、これらの実施形態に対する多くの修正、変形例、置換、変更、および均等物が実装されてもよく、当業者に想起されるであろう。また、材料がある構成要素について開示される場合、他の材料が使用されてもよい。したがって、前述の説明および添付の請求項は、開示された実施形態の範囲内に入るような全ての修正および変形例を網羅することを目的としていると理解されたい。以下の請求項は、全てのそのような修正および変形例を網羅することを目的としている。
【０１７０】
要約すると、本明細書で説明される概念を採用することに起因する、多数の利益が説明されている。１つまたはそれを上回る実施形態の前述の説明は、例証および説明の目的で提示されている。これは、開示される精密な形態に包括的または限定的であることを目的としていない。上記の記述に照らして、修正または変形例が可能である。原理および実用的用途を例証し、それによって、当業者が、考慮される特定の使用に適するような種々の修正とともに種々の実施形態を利用することを可能にするために、１つまたはそれを上回る実施形態が選択され、説明された。本明細書とともに提出される請求項が全体的な範囲を定義することが意図される。
【図１】
2020181609.tif 000004
【図２】
2020181609.tif 000005
【図３】
2020181609.tif 000006
【図４】
2020181609.tif 000007
【図５】
2020181609.tif 000008
【図６】
2020181609.tif 000009
【図７】
2020181609.tif 000010
【図８】
2020181609.tif 000011
【図９】
2020181609.tif 000012
【図１０】
2020181609.tif 000013
【図１１】
2020181609.tif 000014
【図１１Ａ】
2020181609.tif 000015
【図１１Ｂ】
2020181609.tif 000016
【図１２】
2020181609.tif 000017
【図１３】
2020181609.tif 000018
【図１４】
2020181609.tif 000019
【図１５】
2020181609.tif 000020
【図１６】
2020181609.tif 000021
【図１７】
2020181609.tif 000022
【図１８Ａ】
2020181609.tif 000023
【図１８Ｂ】
2020181609.tif 000024
【図１９】
2020181609.tif 000025
【図２０】
2020181609.tif 000026
【図２１】
2020181609.tif 000027
【外国語明細書】
2020181609000001.pdf